(57)【特許請求の範囲】
【請求項１】
ユーザ機器（ＵＥ）の位置決めを実行するための方法であって、
マルチキャリア構成において複数のサービス提供セルと通信することと、ここで、前記複数のサービス提供セルは、一次成分キャリアに関連付けられたサービス提供セルと、１または複数の二次成分キャリアに関連付けられた１または複数のその他のサービス提供セルとを含む、
前記複数のサービス提供セルに対応する複数のサービス提供セル識別子を、メッセージで、位置決めサーバへ示すことと、を備える方法。
【請求項２】
前記複数のサービス提供セル識別子のための位置情報を受信することと、
前記位置情報に少なくとも部分的に基づいて、ＵＥの位置決めを実行することと、をさらに備える請求項１に記載の方法。
【請求項３】
前記位置情報はさらに、前記複数のサービス提供セルの近隣セル、または、前記複数のサービス提供セルに少なくとも部分的に基づいて選択されたその他のセルに対応する、請求項２に記載の方法。
【請求項４】
前記その他のセルは、前記複数のサービス提供セルの少なくとも１つのしきい距離内にあり、前記複数のサービス提供セルの少なくとも１つと同様の動作周波数を使用するか、または、前記複数のサービス提供セルの少なくとも１つの無線視界内にある、請求項３に記載の方法。
【請求項５】
前記複数のサービス提供セル識別子は、グローバル・セル識別子、前記複数のサービス提供セルの動作周波数、またはキャリア識別子に相当する、請求項１に記載の方法。
【請求項６】
前記メッセージは、ＬＴＥ位置決めプロトコル（ＬＰＰ）メッセージである、請求項１に記載の方法。
【請求項７】
前記メッセージは、セキュア・ユーザ・プレーン・ロケーション（ＳＵＰＬ）メッセージである、請求項１に記載の方法。
【請求項８】
前記示すことは、前記複数のサービス提供セル識別子をロケーションＩＤとして前記ＳＵＰＬメッセージに含めることを備える、請求項７に記載の方法。
【請求項９】
前記示すことは、前記複数のサービス提供セル識別子を、前記ＳＵＰＬメッセージ内のマルチ・ロケーションＩＤのリストに含めることを備える、請求項７に記載の方法。
【請求項１０】
前記示すことは、前記マルチ・ロケーションＩＤのリストにおける前記複数のサービス提供セル識別子のおのおのについて、サービス提供セル・フラグを、真に設定することを備える、請求項９に記載の方法。
【請求項１１】
前記示すことは、前記マルチ・ロケーションＩＤのリストにおける前記複数のサービス提供セル識別子のおのおのが同じタイムスタンプを有することを示すことを備える、請求項９に記載の方法。
【請求項１２】
ユーザ機器（ＵＥ）の位置決めを実行するための装置であって、
マルチキャリア構成において複数のサービス提供セルと通信する手段と、ここで、前記複数のサービス提供セルは、一次成分キャリアに関連付けられたサービス提供セルと、１または複数の二次成分キャリアに関連付けられた１または複数のその他のサービス提供セルとを含む、
前記複数のサービス提供セルに対応する複数のサービス提供セル識別子を、メッセージで、位置決めサーバへ示す手段と、を備える装置。
【請求項１３】
前記複数のサービス提供セル識別子のための位置情報を受信する手段と、
前記位置情報に少なくとも部分的に基づいて、ＵＥの位置決めを実行する手段と、をさらに備える請求項１２に記載の装置。
【請求項１４】
前記位置情報はさらに、前記複数のサービス提供セルの近隣セル、または、前記複数のサービス提供セルに少なくとも部分的に基づいて選択されたその他のセルに対応する、請求項１３に記載の装置。
【請求項１５】
前記その他のセルは、前記複数のサービス提供セルの少なくとも１つのしきい距離内にあり、前記複数のサービス提供セルの少なくとも１つと同様の動作周波数を使用するか、または、前記複数のサービス提供セルの少なくとも１つの無線視界内にある、請求項１４に記載の装置。
【請求項１６】
前記複数のサービス提供セル識別子は、グローバル・セル識別子、前記複数のサービス提供セルの動作周波数、またはキャリア識別子に相当する、請求項１２に記載の装置。
【請求項１７】
前記メッセージは、ＬＴＥ位置決めプロトコル（ＬＰＰ）メッセージである、請求項１２に記載の装置。
【請求項１８】
前記メッセージは、セキュア・ユーザ・プレーン・ロケーション（ＳＵＰＬ）メッセージである、請求項１２に記載の装置。
【請求項１９】
前記示す手段は、前記複数のサービス提供セル識別子をロケーションＩＤとして前記ＳＵＰＬメッセージに含める、請求項１８に記載の装置。
【請求項２０】
前記示す手段は、前記複数のサービス提供セル識別子を、前記ＳＵＰＬメッセージ内のマルチ・ロケーションＩＤのリストに含める、請求項１８に記載の装置。
【請求項２１】
前記示す手段は、前記マルチ・ロケーションＩＤのリストにおける前記複数のサービス提供セル識別子のおのおのについて、サービス提供セル・フラグを、真に設定する、請求項２０に記載の装置。
【請求項２２】
前記示す手段は、前記マルチ・ロケーションＩＤのリストにおける前記複数のサービス提供セル識別子のおのおのが同じタイムスタンプを有することを示す、請求項２０に記載の装置。
【請求項２３】
ユーザ機器（ＵＥ）の位置決めを実行するためのコンピュータ読取可能な記憶媒体であって、
少なくとも１つのコンピュータに対して、マルチキャリア構成において複数のサービス提供ｅＮＢと通信させるためのコードと、ここで、前記複数のサービス提供セルは、一次成分キャリアに関連付けられたサービス提供セルと、１または複数の二次成分キャリアに関連付けられた１または複数のその他のサービス提供セルとを含む、
前記少なくとも１つのコンピュータに対して、複数のサービス提供セルに対応する複数のサービス提供セル識別子を、メッセージで、位置決めサーバへ示させるためのコードと、を備える、コンピュータ読取可能な記憶媒体。
【請求項２４】
前記少なくとも１つのコンピュータに対して、前記複数のサービス提供セル識別子のための位置情報を、前記位置決めサーバから受信させるためのコードと、
前記少なくとも１つのコンピュータに対して、前記位置情報に少なくとも部分的に基づいて、ＵＥの位置決めを実行させるためのコードとをさらに備える、請求項２３に記載のコンピュータ読取可能な記憶媒体。
【請求項２５】
前記位置情報はさらに、前記複数のサービス提供セルの近隣セル、または、前記複数のサービス提供セルに少なくとも部分的に基づいて選択されたその他のセルに対応する、請求項２４に記載のコンピュータ読取可能な記憶媒体。
【請求項２６】
前記その他のセルは、前記複数のサービス提供セルの少なくとも１つのしきい距離内にあり、前記複数のサービス提供セルの少なくとも１つと同様の動作周波数を使用するか、または、前記複数のサービス提供セルの少なくとも１つの無線視界内にある、請求項２５に記載のコンピュータ読取可能な記憶媒体。
【請求項２７】
前記複数のサービス提供セル識別子は、グローバル・セル識別子、前記複数のサービス提供セルの動作周波数、またはキャリア識別子に相当する、請求項２３に記載のコンピュータ読取可能な記憶媒体。
【請求項２８】
前記メッセージは、ＬＴＥ位置決めプロトコル（ＬＰＰ）メッセージである、請求項２３に記載のコンピュータ読取可能な記憶媒体。
【請求項２９】
前記メッセージは、セキュア・ユーザ・プレーン・ロケーション（ＳＵＰＬ）メッセージである、請求項２３に記載のコンピュータ読取可能な記憶媒体。
【請求項３０】
前記少なくとも１つのコンピュータに対して示させるためのコードは、前記複数のサービス提供セル識別子をロケーションＩＤとして前記ＳＵＰＬメッセージに含める、請求項２９に記載のコンピュータ読取可能な記憶媒体。
【請求項３１】
前記少なくとも１つのコンピュータに対して示させるためのコードは、前記複数のサービス提供セル識別子を、前記ＳＵＰＬメッセージ内のマルチ・ロケーションＩＤのリストに含める、請求項２９に記載のコンピュータ読取可能な記憶媒体。
【請求項３２】
前記少なくとも１つのコンピュータに対して示させるためのコードは、前記マルチ・ロケーションＩＤのリストにおける前記複数のサービス提供セル識別子のおのおのについて、サービス提供セル・フラグを、真に設定する、請求項３１に記載のコンピュータ読取可能な記憶媒体。
【請求項３３】
前記少なくとも１つのコンピュータに対して示させるためのコードは、前記マルチ・ロケーションＩＤのリストにおける前記複数のサービス提供セル識別子のおのおのが同じタイムスタンプを有することを示す、請求項３１に記載のコンピュータ読取可能な記憶媒体。
【請求項３４】
ユーザ機器（ＵＥ）の位置決めを実行するための装置であって、
プロセッサと、
前記プロセッサと電子通信するメモリと、
前記メモリに格納された命令群とを備え、
前記命令群は、
マルチキャリア構成において複数のサービス提供セルと通信し、ここで、前記複数のサービス提供セルは、一次成分キャリアに関連付けられたサービス提供セルと、１または複数の二次成分キャリアに関連付けられた１または複数のその他のサービス提供セルとを含む、
前記複数のサービス提供セルに対応する複数のサービス提供セル識別子を、メッセージで、位置決めサーバへ示すために前記プロセッサによって実行可能である、装置。
【請求項３５】
前記命令群はさらに、
前記複数のサービス提供セル識別子のための位置情報を受信し、
前記位置情報に少なくとも部分的に基づいて、ＵＥの位置決めを実行するために前記プロセッサによって実行可能である、請求項３４に記載の装置。
【請求項３６】
前記位置情報はさらに、前記複数のサービス提供セルの近隣セル、または、前記複数のサービス提供セルに少なくとも部分的に基づいて選択されたその他のセルに対応する、請求項３４に記載の装置。
【請求項３７】
前記その他のセルは、前記複数のサービス提供セルの少なくとも１つのしきい距離内にあり、前記複数のサービス提供セルの少なくとも１つと同様の動作周波数を使用するか、または、前記複数のサービス提供セルの少なくとも１つの無線視界内にある、請求項３６に記載の装置。
【請求項３８】
前記複数のサービス提供セル識別子は、グローバル・セル識別子、前記複数のサービス提供セルの動作周波数、またはキャリア識別子に相当する、請求項３４に記載の装置。
【請求項３９】
前記メッセージは、ＬＴＥ位置決めプロトコル（ＬＰＰ）メッセージである、請求項３４に記載の装置。
【請求項４０】
前記メッセージは、セキュア・ユーザ・プレーン・ロケーション（ＳＵＰＬ）メッセージである、請求項３４に記載の装置。
【請求項４１】
前記複数のサービス提供セル識別子を示すために前記プロセッサによって実行可能な前記命令群は、前記複数のサービス提供セル識別子を、前記ＳＵＰＬメッセージにおけるロケーションＩＤとして示す、請求項４０に記載の装置。
【請求項４２】
前記複数のサービス提供セル識別子を示すために前記プロセッサによって実行可能な命令群は、前記ＳＵＰＬメッセージにおけるマルチ・ロケーションＩＤのリストにおける前記複数のサービス提供セル識別子を示す、請求項４０に記載の装置。
【請求項４３】
前記複数のサービス提供セル識別子を示すために前記プロセッサによって実行可能な命令群は、前記マルチ・ロケーションＩＤのリストにおける前記複数のサービス提供セル識別子のおのおのについて、サービス提供セル・フラグを、真に設定する、請求項４２に記載の装置。
【請求項４４】
前記複数のサービス提供セル識別子を示すために前記プロセッサによって実行可能な命令群は、前記マルチ・ロケーションＩＤのリストにおける前記複数のサービス提供セル識別子のおのおのが同じタイムスタンプを有することを示す、請求項４２に記載の装置。
【請求項４５】
ユーザ機器（ＵＥ）の位置決めを実行するための装置であって、
マルチキャリア構成において複数のサービス提供セルと通信するためのマルチキャリア通信構成要素と、ここで、前記複数のサービス提供セルは、一次成分キャリアに関連付けられたサービス提供セルと、１または複数の二次成分キャリアに関連付けられた１または複数のその他のサービス提供セルとを含む、
前記複数のサービス提供セルに対応する複数のサービス提供セル識別子を、メッセージで、位置決めサーバへ示すためのサービス提供セル識別子提供構成要素と、を備える装置。
【請求項４６】
前記複数のサービス提供セル識別子のための位置情報を受信するための位置情報受信構成要素と、
前記位置情報に少なくとも部分的に基づいて、ＵＥの位置決めを実行するための位置決め構成要素と、をさらに備える請求項４５に記載の装置。
【請求項４７】
前記位置情報はさらに、前記複数のサービス提供セルの近隣セル、または、前記複数のサービス提供セルに少なくとも部分的に基づいて選択されたその他のセルに対応する、請求項４６に記載の装置。
【請求項４８】
前記その他のセルは、前記複数のサービス提供セルの少なくとも１つのしきい距離内にあり、前記複数のサービス提供セルの少なくとも１つと同様の動作周波数を使用するか、または前記複数のサービス提供セルの少なくとも１つの無線視界内にある、請求項４７に記載の装置。
【請求項４９】
前記複数のサービス提供セル識別子は、グローバル・セル識別子、前記複数のサービス提供セルの動作周波数、またはキャリア識別子に相当する、請求項４５に記載の装置。
【請求項５０】
前記メッセージは、ＬＴＥ位置決めプロトコル（ＬＰＰ）メッセージである、請求項４５に記載の装置。
【請求項５１】
前記メッセージは、セキュア・ユーザ・プレーン・ロケーション（ＳＵＰＬ）メッセージである、請求項４５に記載の装置。
【請求項５２】
前記サービス提供セル識別子提供構成要素は、前記複数のサービス提供セル識別子をロケーションＩＤとして前記ＳＵＰＬメッセージに含める、請求項５１に記載の装置。
【請求項５３】
前記サービス提供セル識別子提供構成要素は、前記複数のサービス提供セル識別子を、前記ＳＵＰＬメッセージ内のマルチ・ロケーションＩＤのリストに含める、請求項５１に記載の装置。
【請求項５４】
前記サービス提供セル識別子提供構成要素は、前記マルチ・ロケーションＩＤのリストにおける前記複数のサービス提供セル識別子のおのおのについて、サービス提供セル・フラグを、真に設定する、請求項５３に記載の装置。
【請求項５５】
前記サービス提供セル識別子提供構成要素は、前記マルチ・ロケーションＩＤのリストにおける前記複数のサービス提供セル識別子のおのおのが同じタイムスタンプを有することを示す、請求項５３に記載の装置。
【請求項５６】
ユーザ機器（ＵＥ）に位置情報を提供する方法であって、
ＵＥに関連する複数のサービス提供セル識別子を備えるメッセージを受信することと、ここで、前記複数のサービス提供セルは、前記ＵＥとの一次成分キャリアに関連付けられたサービス提供セルと、前記ＵＥとの１または複数の二次成分キャリアに関連付けられた１または複数のその他のサービス提供セルとを含む、
前記複数のサービス提供セル識別子に関連する複数のセルの少なくとも一部に対応する位置情報を取得することと、
前記位置情報を前記ＵＥへ通信することと、を備える方法。
【請求項５７】
前記複数のセルの少なくとも１つと同様の動作周波数を利用して１または複数のその他のセルに対応するイントラ周波数位置情報を取得することと、
前記イントラ周波数位置情報を、前記１または複数のその他のセルに対応する１または複数の識別子とともに前記ＵＥへ通信することと、をさらに備える請求項５６に記載の方法。
【請求項５８】
前記メッセージは、ＬＴＥ位置決めプロトコル（ＬＰＰ）メッセージまたはセキュア・ユーザ・プレーン・ロケーション（ＳＵＰＬ）メッセージである、請求項５６に記載の方法。
【請求項５９】
ユーザ機器（ＵＥ）に位置情報を提供するための装置であって、
ＵＥに関連する複数のサービス提供セル識別子を備えるメッセージを受信する手段と、ここで、前記複数のサービス提供セルは、前記ＵＥとの一次成分キャリアに関連付けられたサービス提供セルと、前記ＵＥとの１または複数の二次成分キャリアに関連付けられた１または複数のその他のサービス提供セルとを含む、
前記複数のサービス提供セル識別子に関連する複数のセルの少なくとも一部に対応する位置情報を取得する手段と、
前記位置情報を前記ＵＥへ通信する手段と、を備える装置。
【請求項６０】
前記取得する手段はさらに、前記複数のセルの少なくとも１つと同様の動作周波数を利用して１または複数のその他のセルに対応するイントラ周波数位置情報を取得し、
前記通信する手段はさらに、前記イントラ周波数位置情報を、前記１または複数のその他のセルに対応する１または複数の識別子とともに前記ＵＥへ通信する、請求項５９に記載の装置。
【請求項６１】
前記メッセージは、ＬＴＥ位置決めプロトコル（ＬＰＰ）メッセージまたはセキュア・ユーザ・プレーン・ロケーション（ＳＵＰＬ）メッセージである、請求項５９に記載の装置。
【請求項６２】
ユーザ機器（ＵＥ）に位置情報を提供するためのコンピュータ読取可能な記憶媒体であって、
少なくとも１つのコンピュータに対して、ＵＥに関連する複数のサービス提供セル識別子を備えるメッセージを受信させるためのコードと、ここで、前記複数のサービス提供セルは、前記ＵＥとの一次成分キャリアに関連付けられたサービス提供セルと、前記ＵＥとの１または複数の二次成分キャリアに関連付けられた１または複数のその他のサービス提供セルとを含む、
前記少なくとも１つのコンピュータに対して、前記複数のサービス提供セル識別子に関連する複数のセルの少なくとも一部に対応する位置情報を取得させるためのコードと、
前記少なくとも１つのコンピュータに対して、前記位置情報を前記ＵＥへ通信させるためのコードとを備える、コンピュータ読取可能な記憶媒体。
【請求項６３】
前記少なくとも１つのコンピュータに対して取得させるためのコードはさらに、前記複数のセルの少なくとも１つと同様の動作周波数を利用して１または複数のその他のセルに対応するイントラ周波数位置情報を取得し、
前記少なくとも１つのコンピュータに対して通信させるためのコードはさらに、前記イントラ周波数位置情報を、前記１または複数のその他のセルに対応する１または複数の識別子とともに前記ＵＥへ通信する、請求項６２に記載のコンピュータ読取可能な記憶媒体。
【請求項６４】
前記メッセージは、ＬＴＥ位置決めプロトコル（ＬＰＰ）メッセージまたはセキュア・ユーザ・プレーン・ロケーション（ＳＵＰＬ）メッセージである、請求項６２に記載のコンピュータ読取可能な記憶媒体。
【請求項６５】
ユーザ機器（ＵＥ）に位置情報を提供するための装置であって、
プロセッサと、
前記プロセッサと電子通信するメモリと、
前記メモリに格納された命令群とを備え、
前記命令群は、
ＵＥに関連する複数のサービス提供セル識別子を備えるメッセージを受信し、ここで、前記複数のサービス提供セルは、前記ＵＥとの一次成分キャリアに関連付けられたサービス提供セルと、前記ＵＥとの１または複数の二次成分キャリアに関連付けられた１または複数のその他のサービス提供セルとを含む、
前記複数のサービス提供セル識別子に関連する複数のセルの少なくとも一部に対応する位置情報を取得し、
前記位置情報を前記ＵＥへ通信するために前記プロセッサによって実行可能である、装置。
【請求項６６】
前記命令群はさらに、
前記複数のセルの少なくとも１つと同様の動作周波数を利用して１または複数のその他のセルに対応するイントラ周波数位置情報を取得し、
前記イントラ周波数位置情報を、前記１または複数のその他のセルに対応する１または複数の識別子とともに前記ＵＥへ通信するために前記プロセッサによって実行可能である、請求項６５に記載の装置。
【請求項６７】
前記メッセージは、ＬＴＥ位置決めプロトコル（ＬＰＰ）メッセージまたはセキュア・ユーザ・プレーン・ロケーション（ＳＵＰＬ）メッセージである、請求項６５に記載の装置。
【請求項６８】
ユーザ機器（ＵＥ）に位置情報を提供するための装置であって、
ＵＥに関連する複数のサービス提供セル識別子を備えるメッセージを受信するためのサービス提供セル識別子受信構成要素と、ここで、前記複数のサービス提供セルは、前記ＵＥとの一次成分キャリアに関連付けられたサービス提供セルと、前記ＵＥとの１または複数の二次成分キャリアに関連付けられた１または複数のその他のサービス提供セルとを含む、
前記複数のサービス提供セル識別子に関連する複数のセルの少なくとも一部に対応する位置情報を取得するための位置情報決定構成要素と、
前記位置情報を前記ＵＥへ通信するための位置情報通信構成要素と、を備える装置。
【請求項６９】
前記位置情報決定構成要素はさらに、前記複数のセルの少なくとも１つと同様の動作周波数を利用して１または複数のその他のセルに対応するイントラ周波数位置情報を取得し、
前記位置情報通信構成要素はさらに、前記イントラ周波数位置情報を、前記１または複数のその他のセルに対応する１または複数の識別子とともに前記ＵＥへ通信する、請求項６８に記載の装置。
【請求項７０】
前記メッセージは、ＬＴＥ位置決めプロトコル（ＬＰＰ）メッセージまたはセキュア・ユーザ・プレーン・ロケーション（ＳＵＰＬ）メッセージである、請求項６８に記載の装置。
【発明の詳細な説明】
【優先権主張】
【０００１】
本特許出願は、本明細書において参照によって明確に組み込まれ、本願の譲受人に譲渡された２０１１年６月２２日出願の「マルチキャリア構成における無線デバイス位置決めのための方法および装置」（METHOD AND APPARATUS FOR WIRELESS DEVICE POSITIONING IN MULTICARRIER CONFIGURATIONS）と題された仮出願６１／４９９，８９７号の優先権を主張する。
【技術分野】
【０００２】
以下の記載は、一般に、無線ネットワーク通信に関し、さらに詳しくは、１または複数のデバイスのための位置決めを実行することに関する。
【背景技術】
【０００３】
無線通信システムは、例えば、音声、データ等のようなさまざまなタイプの通信コンテンツを提供するために広く開発された。一般に、無線通信システムは、利用可能なシステム・リソース（例えば、帯域幅、送信電力等）を共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）（例えば、３ＧＰＰ  ＬＴＥ（ロング・ターム・イボリューション）／ＬＴＥアドバンスト）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・ユーザ機器（ＵＥ）のための通信を同時にサポートしうる。ＵＥはおのおのの、順方向リンクおよび逆方向リンクにおける送信によって、１または複数のイボルブド・ノードＢ（ｅＮＢ）と通信しうる。順方向リンク（すなわち、ダウンリンク）は、ｅＮＢからＵＥへの通信リンクを称し、逆方向リンク（すなわち、アップリンク）は、ＵＥからｅＮＢへの通信リンクを称する。さらに、ＵＥとｅＮＢとの間の通信は、単一入力単一出力（ＳＩＳＯ）システム、複数入力単一出力（ＭＩＳＯ）システム、複数入力複数出力（ＭＩＭＯ）システム等によって確立されうる。
【０００５】
さらに、ＵＥは、１または複数のｅＮＢから受信した信号を測定することによって、および、１または複数のｅＮＢの位置にしたがってこれら信号を比較することによって（例えば、観察された到着時間差（ＯＴＤＯＡ）、支援されたグローバル・ナビゲーション衛星システム（Ａ−ＧＮＳＳ）、または、ｅＮＢから受信した信号や、関連する位置情報や、エンハンスト・セル識別子（Ｅ−ＣＩＤ）等に基づくその他の技術、を用いることによって）、無線通信ネットワークにおける位置決めを実行しうる。一例では、ＵＥは、サービス提供ｅＮＢ、またはその関連するセルの識別子を、コア無線ネットワーク内の位置決めサーバへ通信しうる。位置決めサーバは、サービス提供ｅＮＢの識別情報に基づいて、ｅＮＢおよび／またはその他の近隣のｅＮＢに関する位置情報を（例えば、関連付けられた識別子とともに）ＵＥへ示しうる。これにしたがって、ＵＥは、示された近隣のｅＮＢの少なくとも一部の測定された信号および位置情報に基づいて、位置決めを実行しうる。
【発明の概要】
【０００６】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
１または複数の態様および対応するその開示によれば、本開示は、ＵＥにおける位置決めを実行するために、マルチキャリア構成において、ユーザ機器（ＵＥ）にサービス提供する複数のセルまたは関連するイボルブド・ノードＢ（ｅＮＢ）を示すことに関連するさまざまな態様を記載している。複数のセルを示すインジケーションを受信する構成要素は、位置決めを行うために、複数のセルに関する位置情報を、ＵＥへ提供しうる。さらに、複数のセルまたはｅＮＢに対する近隣セルまたは関連するｅＮＢに関する位置情報が、ＵＥへ提供されうる。例えば、位置情報を提供する近隣セルが、ＵＥによって示される複数のセルに基づいて選択されうる。これは、示された複数のセルに基づいて、ＵＥによって聞かれる可能性の高い、近隣セルの位置情報を提供することと、位置決めのための測定を行うためにＵＥが周波数を切り換える必要性を回避するために、示された複数のセルの少なくとも一部と同じ周波数で動作する近隣セルの位置情報を提供すること等を含みうる。
【０００８】
一例では、ＵＥのための位置決めを行う方法が提供される。この方法は、マルチキャリア構成において複数のサービス提供セルと通信することと、複数のサービス提供セルに対応する複数のサービス提供セル識別子を、メッセージで、位置決めサーバへ示すことと、を含む。
【０００９】
別の態様では、ＵＥのための位置決めを実行する装置が提供される。この装置は、マルチキャリア構成において複数のサービス提供セルと通信する手段と、複数のサービス提供セルに対応する複数のサービス提供セル識別子を、メッセージで、位置決めサーバへ示す手段と、を含む。
【００１０】
また、別の態様では、ＵＥのための位置決めを実行するためのコンピュータ・プログラム製品が提供される。このコンピュータ・プログラム製品は、少なくとも１つのコンピュータに対して、マルチキャリア構成において複数のサービス提供セルと通信させるためのコードと、少なくとも１つのコンピュータに対して、複数のサービス提供セルに対応する複数のサービス提供セル識別子を、メッセージで、位置決めサーバへ示させるためのコードと、を有する非一時的なコンピュータ読取可能な媒体を含む。
【００１１】
また別の態様では、プロセッサと、プロセッサと電子的に通信するメモリとを含む、ＵＥのための位置決めを実行する装置が提供される。この装置はさらに、マルチキャリア構成において複数のサービス提供セルと通信し、複数のサービス提供セルに対応する複数のサービス提供セル識別子を、メッセージで、位置決めサーバへ示す、ためにプロセッサによって実行可能な、メモリに格納された命令群を含む。
【００１２】
さらに、態様では、ＵＥのための位置決めを実行するための装置が提供される。この装置は、マルチキャリア構成において複数のサービス提供セルと通信するためのマルチキャリア通信構成要素と、複数のサービス提供セルに対応する複数のサービス提供セル識別子を、メッセージで、位置決めサーバへ示すためのサービス提供セル識別子提供構成要素と、を含む。
【００１３】
別の例では、ＵＥに関連する複数のサービス提供セル識別子を備えるメッセージを受信することと、複数のサービス提供セル識別子に関連する複数のセルの少なくとも一部に対応する位置情報を取得することとを含む、ＵＥに位置情報を提供する方法が提供される。この方法はさらに、位置情報をＵＥへ通信することを含む。
【００１４】
別の態様では、ＵＥへ位置情報を提供するための装置が提供される。この装置は、ＵＥに関連する複数のサービス提供セル識別子を備えるメッセージを受信する手段と、複数のサービス提供セル識別子に関連する複数のセルの少なくとも一部に対応する位置情報を取得する手段と、位置情報をＵＥへ通信する手段と、を含む。
【００１５】
さらに、別の態様では、ＵＥに位置情報を提供するためのコンピュータ・プログラム製品が提供される。このコンピュータ・プログラム製品は、少なくとも１つのコンピュータに対して、ＵＥに関連する複数のサービス提供セル識別子を備えるメッセージを受信させるためのコードと、少なくとも１つのコンピュータに対して、複数のサービス提供セル識別子に関連する複数のセルの少なくとも一部に対応する位置情報を取得させるためのコードと、少なくとも１つのコンピュータに対して、位置情報をＵＥへ通信させるためのコードとを有する、非一時的なコンピュータ読取可能な媒体を含む。
【００１６】
また別の態様では、プロセッサと、プロセッサと電子的に通信するメモリとを含む、ＵＥへ位置情報を提供する装置が提供される。この装置はさらに、ＵＥに関連する複数のサービス提供セル識別子を備えるメッセージを受信し、複数のサービス提供セル識別子に関連する複数のセルの少なくとも一部に対応する位置情報を取得し、位置情報をＵＥへ通信するためにプロセッサによって実行可能なメモリに格納された命令群を含む。
【００１７】
さらに、態様では、ＵＥに位置情報を提供するための装置が提供される。この装置は、ＵＥに関連する複数のサービス提供セル識別子を備えるメッセージを受信するためのサービス提供セル識別子受信構成要素と、複数のサービス提供セル識別子に関連する複数のセルの少なくとも一部に対応する位置情報を取得するための位置情報決定構成要素と、位置情報をＵＥへ通信するための位置情報通信構成要素と、を含む。
【００１８】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１９】
開示された態様は、同一符号が同一要素を示し、開示された態様を、限定することなく、例示するために提供される添付図面と連携して説明さるだろう。
【図１】図１は、複数のサービス提供セルに基づいて位置決めを実行するためのシステムの例を例示する。
【図２】図２は、関連する位置情報を受信する位置決めサーバへ、複数のサービス提供セル識別子を示すためのシステムの例を例示する。
【図３】図３は、複数のサービス提供セル識別子を位置決めサーバへ示すための方法の例を例示する。
【図４】図４は、複数のｅＮＢのための位置情報をユーザ機器（ＵＥ）へ通信するための方法の例を例示する。
【図５】図５は、本明細書に記載された態様にしたがうモバイル・デバイスの例を例示する。
【図６】図６は、本明細書に記載された態様にしたがうコンピュータ・デバイスの例を例示する。
【図７】図７は、キャリア・アグリゲーション構成の例を例示する。
【図８】図８は、ＭＡＣレイヤ・キャリア・アグリゲーションの例を例示する。
【図９】図９は、ネットワーク・アーキテクチャの例を例示する図解である。
【図１０】図１０は、アクセス・ネットワークの例を例示する図解である。
【図１１】図１１は、ロング・ターム・イボリューション（ＬＴＥ）におけるダウンリンク（ＤＬ）フレーム構造の例を例示する図解である。
【図１２】図１２は、ＬＴＥにおけるアップリンク（ＵＬ）フレーム構造の例を例示する図解である。
【図１３】図１３は、ユーザ・プレーンおよび制御プレーンのためのラジオ・プロトコル・アーキテクチャの例を例示する図解である。
【図１４】図１４は、アクセス・ネットワークにおけるｅＮＢとＵＥとの例を例示する図解である。
【発明を実施するための形態】
【００２０】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００２１】
本明細書では、マルチキャリア構成において、ユーザ機器（ＵＥ）にサービス提供する複数のイボルブド・ノードＢ（ｅＮＢ）または関連するセルの識別子を、関連する位置情報を提供する構成要素に示すことに関連するさまざまな態様が記載されている。この構成要素は、位置決めを行う際に追加の基準点を用いることを容易にするために、複数のｅＮＢまたは関連するセルに関する位置情報をＵＥへ、および／または、その他の近隣ｅＮＢまたは関連するセルの位置情報をＵＥへ提供しうる。例えば、近隣のｅＮＢまたは関連するセルが、示された複数のセルに基づいて、示された複数のセルの少なくとも一部の共通の周波数を利用することに基づいて、等に基づいて、選択されうる。この点に関し、ＵＥは、位置情報を取得し、対応するｅＮＢまたはセルからの信号を測定しうる。ＵＥはその後、これら信号および位置情報に基づいて（例えば、観察された到着時間差（ＯＴＤＯＡ）、支援されたグローバル・ナビゲーション衛星システム（Ａ−ＧＮＳＳ）、または、その他の技術、エンハンスト・セル識別子（Ｅ−ＣＩＤ）、および／または等を用いて）、位置決めを実行しうる。この点に関し、近傍のｅＮＢまたはセルのより正確な位置情報、および／または、ＵＥにおける電力を節約するために周波数を切り換えることを必要としないｅＮＢまたはセルのためのより正確な位置情報を提供するために、識別された複数のサービス提供ｅＮＢまたは関連するセルの識別情報が使用される。
【００２２】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェア／ファームウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、格納されたさまざまなデータ構造を有するさまざまなコンピュータ読取可能な媒体から実行しうる。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２３】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを適用する。」という句は、以下の例のうちの何れによっても満足される。ＸはＡを適用する。ＸはＢを適用する、あるいは、ＸはＡとＢとの両方を適用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２４】
さまざまな態様または特徴が、多くのデバイス、構成要素、モジュール等を含みうるシステムの観点から示されるだろう。さまざまなシステムが、追加のデバイス、構成要素、およびモジュール等を含むか、および／または、図面と関連して説明したようなデバイス、構成要素、モジュール等のうちのすべてを含みうることが理解および認識されるべきである。これらのアプローチの組み合わせもまた使用されうる。
【００２５】
図１は、関連するＵＥの位置決めを容易にするために、複数のサービス提供セル識別子を位置決めサーバへ示すための無線通信システム１００の例を例示する。システム１００は、マルチキャリア構成において、１または複数のｅＮＢ１０４，１０６，１０８のうちの１または複数のセルによってサービス提供されるＵＥ１０２を含む。例えば、マルチキャリア構成は、同じデータまたは異なるデータを同時に受信するために、本明細書に記載されているように、複数のｅＮＢのキャリアをアグリゲートすることに関連しうる。図示された例では、ｅＮＢ１０４が、複数のセル１１０，１１２，１１４を提供し、ｅＮＢ１０６が、複数のセル１１６，１１８，１２０を提供し、ｅＮＢ１０８が、複数のセル１２２，１２４，１２６を提供する。実質的にはマクロ・ノード有効通信範囲として図示されているが、システム１００は、１または複数のフェムト・ノード、リレー等を含みうるのみならず、１または複数のＵＥにサービス提供することもできうることが認識されるべきである。さらに、システム１００は、ｅＮＢ１０４，１０６，１０８や、例えば、コア無線ネットワークの構成要素ような１または複数のその他の構成要素間の通信を容易にしうるネットワーク・コントローラ１４０を含む。複数のｅＮＢに関する位置情報をＵＥ１０２へ（例えば、ＵＥ１０２にサービス提供する１または複数のｅＮＢ１０４，１０６，または１０８へ、ネットワーク・コントローラ１４０を経由して）提供する位置決めサーバ１４２もまた図示されている。位置決めサーバ１４２は、ｅＮＢ１０４，１０６，１０８に関連するコア・ネットワークにおける構成要素であることができ、ｅＮＢ１０４，１０６，１０８（および／または、その他のｅＮＢ）と通信し、これらから位置情報を受信するか、および／または、サービス提供されているＵＥへ位置情報を提供しうる。
【００２６】
例において、ＵＥ１０２は、マルチキャリア構成において、それぞれのキャリア１３０，１３２を介して、セル１１０，１１２によってサービス提供されうる。この例では、ＵＥ１０２は、複数のサービス提供セル１１０，１１２を示すインジケーションを、位置決めサーバ１４２へ提供しうる。これは、識別子をメッセージで（例えば、キャリア１３０，１３２等でありうる一次成分キャリア（ＰＣＣ）によって）位置決めサーバ１４２へ提供することを含みうる。位置決めサーバ１４２は、この識別子を取得し、この識別子に基づいて、セル１１０，１１２、および／または、例えばセル１１４，１１８，１２０，１２４等のような近隣セル、または、対応するｅＮＢの位置情報を、ＵＥ１０２に提供しうる。ＵＥ１０２にサービス提供する複数のセルの識別子を受信することによって、位置決めサーバ１４２は、ＵＥ１０２に位置情報を提供するためのセルのセットを決定できるようになる。これは、ＵＥ１０２が、単一のセルの識別子を位置決めサーバ１４２へ送信する場合とは逆に、ＵＥ１０２へ提供される位置情報の品質を改善しうる。
【００２７】
一例では、ＵＥ１０２は、セル１１０においてサービス提供されるのみならず、セル１１２によってもサービス提供されるので、位置決めサーバ１４２は、さらなるセル１１４，１１８，１２０および／または１２４のための位置情報を提供することを決定しうる。例えば、位置決めサーバ１４２は、セル１１６，１２２または１２６の位置情報を提供しないことを決定しうる。なぜなら、ＵＥ１０２は、セル１１０，１１２によってサービス提供され、これから、位置決めサーバ１４２は、ＵＥ１０２は、他のセルによってサービス提供されている場合よりも、セル１１４，１１８，１２０および／または１２４に近いと推論しうるからである。例えば、そうではなく、ＵＥ１０２がセル１１０，１１４によってサービス提供されている場合、位置決めサーバ１４２は、ＵＥ１０２がセル１１８ではなくセル１２６により近いと推論し、これにしたがって、セル１１８ではなくセル１２６の位置情報を含めうる。したがって、位置決めサーバ１４２は、ＵＥ１０２によって示されるような現在のサービス提供セル１１０，１１２のセットに基づいて、位置情報を提供するためのｅＮＢまたはセルのセットを決定する。ＵＥ１２０は、位置情報を受信すると、信号測定をセル１１０，１１２，１１４，１１８，１２０および／または１２４に制限し、測定値および位置情報に基づいて（例えば、前述したようなＯＴＤＯＡ、Ａ−ＧＮＳＳ、Ｅ−ＣＩＤ等を用いて）、ＵＥ１０２の位置を決定しうる。
【００２８】
別の例において、位置決めサーバ１４２は、その動作周波数に付加的にまたは代替的に基づいて、追加のセル１１８の位置情報を提供することを決定しうる。例えば、位置決めサーバ１４２は、ｅＮＢ１０４がセル１１０および／または１１２に提供するために使用するものと同様の動作周波数をｅＮＢ１０６が使用してセル１１８に提供すると判定しうる。したがって、ＵＥ１０２は、セル１１８を測定するために、周波数を切り換える必要はない。しかしながら、位置決めサーバ１４２は、ｅＮＢ１０６がセル１１０，１１２とは異なる周波数を用いてセル１２０を管理していると判定し、もって、セル１２０の位置情報をＵＥ１０２へ提供しない場合がありうる。したがって、記載されているように、ＵＥ１０２は、位置決めするために現在のサービス提供セルのうちの１または複数と同じ周波数で、追加のセルを測定しうる。さらに、２つのセルを用いて図示および説明されているが、本明細書に記載されているＵＥ１０２またはその他のＵＥは、実質的に任意の数のセルを持つマルチキャリア構成で動作することができ、そのためのサービス提供セル識別子をレポートしうることが認識されるべきである。さらに、単一のｅＮＢ１０４のセルによってサービス提供されているように図示されているが、ＵＥ１０２は、複数のｅＮＢのセルによってサービス提供され、同様に、位置決めのために、それらのセル識別子をレポートしうることが認識されるべきである。
【００２９】
図２は、ＵＥのための位置決めを実行することを容易にする無線通信システム２００の例を例示する。システム２００は、無線ネットワークにおける位置決めを実行するための位置情報を取得するために位置決めサーバ２０４と通信するＵＥ２０２を含む。さらに、システム２００は、無線ネットワークにおいて、マルチキャリア構成を用いて、ＵＥ２０２が１または複数のセルにおいてサービス提供されうる１または複数のｅＮＢ２０６または２０８を含んでいる。図示されるように、例えば、ＵＥ２０２は、ｅＮＢ２０６のうちの少なくとも１つを経由して（例えば、１または複数のその他のネットワーク構成要素を超えて）、位置決めサーバ２０４と通信しうる。ＵＥ２０２はまた、位置決めサーバ２０４とダイレクトに通信しうる。ＵＥ２０２は、移動端末、固定端末、テザー・デバイス（例えば、モデム）、その一部、および／または等でありうる。位置決めサーバ２０４は、サービス提供モバイル・ロケーション・センタ（ＳＭＬＣ）、イボルブドＳＭＬＣ（Ｅ−ＳＭＬＣ）、ＳＵＰＬ（セキュア・ユーザ・プレーン・ロケーション）ロケーション・プラットフォーム（ＳＬＰ）、無線ネットワークにおける位置決め／位置関連情報を格納／提供するその他のエンティティ、および／または等でありうる。さらに、ｅＮＢ２０６および／または２０８は、アクセス・ポイント、マクロ・ノード、フェムト・ノード、ピコ・ノード、ミクロ・ノード、または同様のｅＮＢ、リレー・ノード、モバイル基地局、（例えば、ピア・トゥ・ピア・モードまたはアド・ホック・モードでＵＥ２０２と通信している）ＵＥ、これらの一部、および／または等でありうる。
【００３０】
ＵＥ２０２は、複数のキャリアによって、１または複数のｅＮＢの複数のセルと通信するためのマルチキャリア通信構成要素２１２と、複数のセルまたは関連するｅＮＢの識別子を位置決めサーバへ通信するためのサービス提供セル識別子提供構成要素２１４とを含みうる。ＵＥ２０２はさらに、識別子に基づいて、位置決めサーバから、位置情報を取得するための位置情報受信構成要素２１６と、位置情報に少なくとも部分的に基づいて、ＵＥ２０２の位置を計算するための位置決め構成要素２１８とを含む。
【００３１】
位置決めサーバ２０４は、ＵＥから複数のセル識別子を取得するためのサービス提供セル識別子受信構成要素２２０と、セル識別子に基づいて、ＵＥの位置情報２２６を取得するための位置情報決定構成要素２２２と、位置情報２２６をＵＥ２０２へ提供するための位置情報通信構成要素２２４とを含む。
【００３２】
さらに、システム２００は、オプションとして、モビリティ管理エンティティ（ＭＭＥ）２５０、または、ＵＥ２０２のサービス提供セル情報を提供するため位置決めサーバ２０４と通信しうる別のサポート・ネットワーク・ノードを含む。ＭＭＥ２５０は、ＵＥ２０２から１または複数のサービス提供セル識別子を取得するサービス提供セル識別子受信構成要素２５２と、１または複数のサービス提供セル識別子を位置決めサーバ２０４へ示しうるサービス提供セル識別子提供構成要素２５４とを含む。
【００３３】
例によれば、マルチキャリア通信構成要素２１２は、無線ネットワークにおいてマルチキャリア・アクセスを受けるために、ＵＥ２０２にサービス提供している複数のセルと通信しうる。例えば、１または複数のｅＮＢ２０６および／または２０８によって、複数のセルが提供され、所与のセルにおける、１または複数のキャリアによる、ＵＥ２０２とのユーザ・プレーン・データおよび／または制御データの同時通信をサポートしうる。この点において、マルチキャリア通信構成要素２１２は、複数のセルにおけるｅＮＢ２０６および／または２０８から信号を受信する。および／または、複数のキャリアによって、そこへ信号を送信する。位置決め構成要素２１８は、（例えば、タイマ、あるいは、アプリケーション・レイヤ要求のようなその他のトリガまたはイベントに基づいて）定期的に、ＵＥ２０２において位置決めを開始しうる。この例では、サービス提供セル識別子提供構成要素２１４は、複数のセルまたは関連するｅＮＢ２０６または２０８の識別子を判定しうる。そして、識別子を位置決めサーバ２０へ通信しうる。
【００３４】
一例では、ＵＥ２０２は、少なくともｅＮＢ２０６を介して、位置決めサーバ２０４へ識別子を通信しうる。例えば、ＵＥ２０２は、セル内のｅＮＢ２０６と、一次成分キャリア（ＰＣＣ）を確立している。これによって、無線ネットワークを用いて制御データが通信されうる。この例において、ｅＮＢ２０６は、例えばＭＭＥ２５０またはその他のサポート・ノードのような、無線ネットワークの１または複数の構成要素を介して、位置決めサーバ２０４と通信しうる。あるいは、別の例では、ＭＭＥ２５０が、（例えば、サービス提供セル識別子受信構成要素２５２を介して）ＵＥ２０２からサービス提供セル識別子を取得しうる。そして、サービス提供セル識別子提供構成要素２５４は、サービス提供セル識別子を、位置決めサーバ２０４へ提供しうる。さらに、例えば、サービス提供セル識別子は、セルまたは関連するｅＮＢ２０６または２０８のグローバル・セル識別子（例えば、Ｅ−ＵＴＲＡＮセル・グローバル識別子（ＥＣＧＩ）等）、動作周波数、キャリア識別子等に対応しうる。サービス提供セル識別子は、セルを（例えば、ユニークに）識別することに役立ちうる。一例において、キャリア識別子は、キャリアの周波数に相当しうる。
【００３５】
サービス提供セル識別子受信構成要素２２０は、複数のサービス提供セル識別子を取得しうる。そして、位置情報決定構成要素２２２は、サービス提供セル識別子に基づいて、セルに関連する位置情報２２６（例えば、対応するｅＮＢの位置）、および／または、その他のセルまたは関連するｅＮＢの位置情報２２６を取得しうる。例えば、ｅＮＢ２０６，２０８のようなさまざまなｅＮＢは、前の時点において（例えば、位置決めサーバ２０４からの要求、無線ネットワークにおけるｅＮＢの初期化等がなされると）、位置情報および／または関連するセル情報（例えば、セル識別子）を位置決めサーバ２０４へ提供しうる。あるいは、別の例では、位置決めサーバ２０４が、１または複数のコア・ネットワーク構成要素からのこのような情報、コンフィギュレーション、オペレータ入力、および／または等をプロビジョンされうる。何れの場合であれ、位置情報決定構成要素２２２は、ｅＮＢの地理的位置または関連する情報と、１または複数のセル識別子との間の関連付けとして、さまざまなｅＮＢまたは関連するセルのための位置情報を格納しうる。地理的位置は、例えば、ｅＮＢの絶対位置（例えば、グローバル・ポジショニング・システム（ＧＰＳ）または類似の座標を用いる）、相対位置（例えば、既知の基準点の方向および距離を用いる）等、または、セル自体における位置含みうる。
【００３６】
例において、位置情報決定構成要素２２２は、識別されたサービス提供セルの近傍の１または複数のその他のセルを判定しうる。これは、サービス提供ｅＮＢ２０６および／または２０８の少なくとも一部からその他のｅＮＢへの距離または無線視界（radio visibility）に基づいて、その他の近傍のｅＮＢのセルを判定することを含みうる。一例では、位置情報決定構成要素２２２は、サービス提供セルおよび関連する位置のすべてを分析することに基づいて、ＵＥ２０２の初期位置における推論を行う。例では、１つのサービス提供セルが、ある別のセルの近傍にあり（例えば、セルまたは関連するｅＮＢが、しきい距離内にあるか、または、互いに無線視界を有している）、その他のサービス提供セルの何れも、この別のセルまたは関連するｅＮＢの近傍にない場合、位置情報決定構成要素２２２は、（位置情報２２６に基づいて、）この別のセルの位置情報を含めないことを決定しうる。なぜなら、これは、ＵＥ２０２が、この別のセルに十分近い可能性が低く、もって、その位置情報から利益を得る可能性が低いであろうことを示しうるからである。別の例では、位置情報決定構成要素２２２は、各サービス提供セルまたは関連するｅＮＢの近隣リストを生成するか、あるいは、受信しうる。そして、近傍のセルまたは関連するｅＮＢが、サービス提供セルまたは関連するｅＮＢ２０６または２０８の近隣リストのうちの１つまたはある数の近隣リストにあるか否かに基づいて、１または複数の近隣セルまたは関連するｅＮＢの位置情報を含めるか否かを判定しうる。
【００３７】
さらなる例または代替例では、位置情報決定構成要素２２２は、サービス提供セルの近傍のその他のセル（または、サービス提供セルを提供するｅＮＢ２０６または２０８の近傍のｅＮＢまたはセル）の位置情報２２６を取得しうる。ここで、近傍のセルは、（ここでは、イントラ周波数位置情報と称される）これらサービス提供セルのうちの少なくとも１つに対するものと同様の動作周波数を利用する。位置決め構成要素２１８は、このような測定を実行するため別の周波数に切り換える必要なく、これらセルからの信号を測定しうる。したがって、この例では、位置情報決定構成要素２２２は、セルが近傍のサービス提供セルであるか否かに関わらず（あるいは、関連するｅＮＢが、サービス提供セルを提供する、近傍のｅＮＢ２０６または２０８であるかに関わらず）、異なる動作周波数を利用するセルに関連する位置情報を提供することを控えうる。
【００３８】
一例では、記載されているように、ＵＥ２０２から受信されたサービス提供セル識別子は、サービス提供セルのグローバル・セル識別子、動作周波数、キャリア周波数等でありうる。したがって、位置情報決定構成要素２２２は、受信すると、所与のセル識別子、動作周波数、および／または、キャリア識別子に関連付けられた位置情報を取得することに基づいて、１または複数のサービス提供セルに関する位置情報２２６を決定しうる。記載されているように、位置情報決定構成要素２２２は、セルまたは関連するｅＮＢ間の距離に基づきうる、識別された、近傍のさらなるセル、示された同じ動作周波数を利用するさらなるセル、同じキャリア識別子を利用するさらなるセル、１または複数のサービス提供セルにおいて無線視界を有するさらなるセル（例えば、１または複数のサービス提供セル、または、これらと通信しているＵＥは、これらさらなるセルからの信号を聞くことができうる）、および／または等を決定しうる。
【００３９】
一例では、サービス提供セル識別子提供構成要素２１４は、（例えば、二次成分キャリア（ＳＣＣ）に関連付けられたセルである）その他のセルの動作周波数またはキャリア識別子を含んでいる間、１つのサービス提供セル（例えば、ＰＣＣに関連付けられたサービス提供セル）のグローバル・セル識別子を示しうる。この例では、位置情報決定構成要素２２２は、サービス提供セルのグローバル・セル識別子に基づいて、サービス提供セル位置情報２２６を決定しうる。そして、（例えば、その他のサービス提供セルと同じ動作周波数またはキャリア識別子を利用するグローバル・セル識別子が提供されるサービス提供セル近傍のセルおよび／または関連するｅＮＢを選択することによって）、動作周波数またはキャリア識別子に基づいて、近傍のセルの別のセル位置情報２２６を決定しうる。
【００４０】
何れにせよ、位置情報通信構成要素２２４は、前述したように、サービス提供セルの位置情報２２６、および／または、その他のセルの追加の位置情報２２６を、ＵＥ２０２へ提供しうる。この例では、位置情報受信構成要素２１６が、位置情報２２６を取得し、位置決め構成要素２１８が、位置情報２２６に少なくとも部分的に基づいて、ＵＥ２０２の位置決めを実行しうる。一例では、位置決め構成要素２１８はさらに、サービス提供セルのみならず、受信した位置情報２２６で識別されたその他任意のセルからの信号をも測定しうる。位置情報２２６は、サービス提供セルに提供するｅＮＢ２０６または２０８のその他のセルを含みうることが認識されるべきである。一例では、位置決めサーバ２０４が、動作周波数に基づいて、位置情報２２６を提供するセルを区別しない場合、位置決め構成要素２１８は、同様の動作周波数を利用するセルまたは関連するｅＮＢへ測定を制限しうる。何れの場合も、位置決め構成要素２１８は、信号および位置情報２２６を用いて（例えば、ＯＴＤＯＡ、Ａ−ＧＮＳＳ、Ｅ−ＣＩＤ等を用いて）、ＵＥ２０２の位置を決定しうる。したがって、ＵＥ２０２の複数のサービス提供セル、および／または、サービス提供セルのセットに基づいて選択されたその他のセルは、位置決めする際における追加の基準ポイントとして利用されうる。
【００４１】
特定の例において、サービス提供セル識別子提供構成要素２１４は、ＭＭＥ２５０にセル識別子を示しうる（例えば、これは、ＭＭＥ２５０との通信を開始すること、新たなｅＮＢまたは関連するセルにキャリアを追加すること等の一部でありうる）。そして、サービス提供セル識別子受信構成要素２５２が、セル識別子を取得しうる。一例において、サービス提供セル識別子受信構成要素２５２は、ＵＥ２０２とＭＭＥ２５０との間の通信を容易にするセル識別子を、ｅＮＢから受信しうることが認識されるべきである。何れの場合であれ、サービス提供セル識別子受信構成要素２５２は、ＵＥ２０２に関連するサービス提供セル識別子を取得し、サービス提供セル識別子提供構成要素２５４は、セル識別子を、ロケーション・サービス（ＬＣＳ）アプリケーション・プロトコル（ＬＣＳ−ＡＰ）要求ロケーション・メッセージで位置決めサーバ２０４へ、ＬＴＥ位置決めプロトコル（ＬＰＰ）メッセージを用いて位置決めサーバ２０４へ通信しうる。この例では、Ｅ−ＳＭＬＣでありうる位置決めサーバ２０４は、ＭＭＥ２５０から、ＵＥ２０２のサービス提供セル情報を取得しうる。この例では、サービス提供セル識別子提供構成要素は、マルチキャリア構成においてＵＥ２０２のＰＣＣを提供する、（例えば、ｅＮＢ２０６のセルのような）サービス提供セルまたは関連するｅＮＢの識別子を提供しうる。
【００４２】
この例では、サービス提供セル識別子提供構成要素２５４はまた、追加の（例えば、二次）サービス提供セル識別子（例えば、ｅＮＢ２０８，２１０に関連）のリスト、および／または、その対応する動作周波数のリストを、位置決めサーバ２０４へのＬＣＳ−ＡＰ要求ロケーション・メッセージの拡張として含みうる。したがって、サービス提供セル識別子受信構成要素２２０は、ＬＣＳ−ＡＰ要求ロケーション・メッセージを取得し、追加のサービス提供セル識別子の存在を判定しうる。この例では、位置情報決定構成要素２２２が、追加のサービス提供セル識別子および／または１または複数の近傍のセルまたは関連するｅＮＢ（例えば、記載されているように、近隣リストに示されているセルまたはｅＮＢ、位置情報に基づいてＰＣＣが確立されるサービス提供セルを提供するｅＮＢのしきい距離内のセルまたは関連するｅＮＢ、サービス提供セルと同様の動作周波数を利用しうるセルまたは関連するｅＮＢ等）の位置情報２２６を取得しうる。位置情報構成要素２２４は、その位置を決定するために、位置情報２２６をＵＥ２０２へ送信しうる。
【００４３】
別の特定の例では、サービス提供セル識別子提供構成要素２１４が、ＬＰＰにおける提供位置情報メッセージで、複数のサービス提供セル識別子を位置決めサーバ２０４へ示しうる。例えば、このメッセージは、ＬＣＳ−ＡＰプロトコルに関して前述されたように、複数のサービス提供セル識別子または動作周波数に対応する位置情報の複数のインスタンスをレポートできるように拡張されうる。
【００４４】
同様に、例えば、セキュア・ユーザ・プレーン・ロケーション（ＳＵＰＬ）のようなその他の技術では、ｅＮＢ２０６または２０８によって提供されたＵＥ２０２のサービス提供セルに関連するサービス提供セル識別子のリストを、サービス提供セル識別子提供構成要素２１４が、ＳＵＰＬ  ＳＴＡＲＴ、ＳＵＰＬ  ＰＯＳ  ＩＮＴ、または類似のメッセージで位置決めサーバ２０４へ示しうる。この例では、ＵＥ２０２は、実質的には、任意のＳＵＰＬ対応端末であり、位置決めサーバ２０４は、ＳＵＰＬロケーション・プラットフォームでありうる。例えば、サービス提供セル識別子提供構成要素２１４は、ＳＵＰＬメッセージにおけるロケーションＩＤフィールドを利用しうる。これは、複数のサービス提供セル識別子をレポートすることを可能にするために拡張されうる。サービス提供セル識別子受信構成要素２２０は、サービス提供セル識別子のリストを備えるメッセージを取得しうる。別の例では、サービス提供セル識別子提供構成要素２１４は、ＳＵＰＬのマルチ・ロケーション・ＩＤフィールドにおけるサービス提供セル識別子を示しうる。そして、ＳＵＰＬで定義されたような、関連付けられたサービス提供セル・フラグを、マルチ・ロケーションＩＤにおけるサービス提供セル識別子のために「真」に設定しうる。サービス提供セル識別子受信構成要素２２０は、マルチ・ロケーションＩＤフィールドを取得し、所与のサービス提供セル識別子のために、サービス提供セル・フラグが「真」に設定されているか否かに少なくとも部分的に基づいて、サービス提供セル識別子を判定しうる。何れの例でも、位置情報決定構成要素２２２は、記載されているように、判定されたサービス提供セル識別子、および／または、その他の近傍のサービス提供セル、または、同じ動作周波数を利用するセルのリストの位置情報２２６を決定しうる。位置情報通信構成要素２２４は、ＵＥ２０２へ位置情報２２６を提供しうる。
【００４５】
さらに別の例では、サービス提供セル識別子提供構成要素２１４は、同じタイムスタンプ値を用いて、マルチ・ロケーションＩＤフィールドにおいてサービス提供セルを示しうる。そして、マルチ・ロケーションＩＤフィールドを、ＳＵＰＬメッセージで位置決めサーバ２０４へ提供しうる。この例では、ＳＵＰＬメッセージ構造には、新たなフィールドは追加されない。例えば、これは、０を示すことを含みうるか、または、対応するマルチ・ロケーションＩＤフィールドにおける相対タイムスタンプの値を省略しうる。サービス提供セル識別子受信構成要素２２０は、マルチ・ロケーションＩＤを取得しうる。そして、位置情報決定構成要素２２２は、タイムスタンプ値に少なくとも部分的に基づいて、識別子がサービス提供セル識別子であるか否かを判定しうる。この点において、位置情報決定構成要素２２２は、記載されているように、サービス提供セル識別子のリストのための、および／または、その他の近傍のサービス提供セルのための、位置情報２２６を提供しうる。
【００４６】
さらに、前述した態様は、ＵＥ２０２に関して図示および説明されているが、フェムト・ノード、位置測定ユニット（ＬＭＵ）、および／または、任意の適切な無線ネットワーク・デバイスに、前述した構成要素が備えられ、前述したように、位置決めを実行するための複数のサービス提供セル識別子が提供されることが認識されるべきである。
【００４７】
図３−４は、位置決めの際に、複数のサービス提供セル識別子を示すための方法の例を例示する。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４８】
図３は、位置決めを容易にするために、複数のサービス提供セル識別子を示すことを容易にする方法３００の例を図示する。
【００４９】
３０２において、複数のサービス提供セルが、マルチキャリア構成において通信されうる。例えば、これは、１または複数のｅＮＢによって提供されうる複数のサービス提供セルと複数のキャリアを確立し、そこから個別に、または、同時に、データを受信することを含みうる。複数のサービス提供セルを示すインジケーションから、位置、利用されている動作周波数、および／または等に関する仮定がなされうる。
【００５０】
３０４では、複数のサービス提供セルに対応する複数のサービス提供セル識別子が、メッセージで、位置決めサーバへ示されうる。記載されているように、サービス提供セルを示すインジケーションは、潜在的に近傍にあるその他のセルまたはｅＮＢ、サービス提供セルを用いる複数のキャリアのうちの少なくとも１つと同じ動作周波数を利用しうるその他のセルまたはｅＮＢ、および／または等を識別するために使用されうる。この情報は、位置決めサーバによって使用され、位置決めを容易にするために、サービス提供セルおよび／またはさらなる近傍のセルの位置情報が収集されうる。記載されているように、これは、位置決めサーバへ、ＬＰＰまたはＳＵＰＬメッセージで複数のサービス提供セル識別子を示すことを含みうる。
【００５１】
オプションとして、３０６では、複数のサービス提供セル識別子の位置情報が受信されうる。例えば、これは、複数のサービス提供セル、１または複数のその他の近傍のセル、および／または等の絶対位置または相対位置のような情報を、位置決めサーバから受信することを含みうる。例において、これは、ＬＰＰまたはＳＵＰＬメッセージで、位置情報を伴うメッセージを受信することを含みうる。
【００５２】
オプションとして、３０８では、位置情報に少なくとも部分的に基づいて、ＵＥの位置決めが実行されうる。例えば、ＯＴＤＯＡ、Ａ−ＧＮＳＳ、Ｅ−ＣＩＤ、またはその他の位置決めアルゴリズムが、位置情報と、位置情報で示されたセルの信号強度測定値とに基づいて実行されうる。別の例において、ＵＥは、信号を測定する前に、位置情報で示されたセルのうちの１または複数が、複数のサービス提供セルのうちの少なくとも１つと同様の動作周波数で通信するのか否かを判定しうる。この判定は、位置情報および／または等で示された周波数に基づいてなされうる。別の例において、ＵＥは、位置情報で示されたセルの信号を測定することを試みうる。そして、（例えば、セルが別の周波数で提供されているか、それ以外によって）信号が観察されない場合、ＵＥの位置を決定する際に、このセルの位置情報は、使用されない。
【００５３】
図４は、複数のセルの位置情報をＵＥへ提供するための方法４００の例を例示する。
【００５４】
４０２では、ＵＥに関連する複数のサービス提供セル識別子を備えるメッセージが受信されうる。例えば、これは、記載されているように、このような情報を提供することをサポートするために拡張または利用されうるＬＰＰまたはＳＵＰＬメッセージで、サービス提供セル識別子を取得することを含みうる。このメッセージは、記載されているように、ＵＥ、ＭＭＥ等から受信されうる。
【００５５】
４０４では、サービス提供セル識別子に関連する複数のセルの少なくとも一部に対応する位置情報が取得されうる。これは、受信されたサービス提供セル識別子に対応するセルまたは関連するｅＮＢの位置情報を取得することを含みうる。さらに、記載されているように、サービス提供セル近傍の、および／または、同じ動作周波数を利用する、その他のセルの位置情報が取得されうる。一例では、近傍のセルが、サービス提供セル識別子に対応するセルのうちの１つまたは一部ではなく、すべてを識別することに基づいて判定されうる。位置情報は、記載されているように、セルから、または、セルの代わりにその他のエンティティから、既に受信されることができる。
【００５６】
４０６では、位置情報がＵＥに通信されうる。これは、（例えば、ＰＣＣを介しうる、ＵＥにサービス提供しているｅＮＢを経由して）１または複数のＳＵＰＬまたはＬＰＰメッセージでこの情報を通信することを含みうる。位置情報は、複数のセルまたは関連するｅＮＢの位置、複数のセルの動作周波数、複数のセルの識別子、および／または等を含みうる。したがって、ＵＥは、記載されているように、位置情報に基づいて、位置決めのためにどのセルを測定するのかを判定しうる。
【００５７】
図５は、複数のサービス提供セル識別子を位置決めサーバへ示すことを容易にするモバイル・デバイス５００の例示である。モバイル・デバイス５００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機５０２を含みうる。受信機５０２は、受信したシンボルを復調し、これらをチャネル推定のためにプロセッサ５０６へ提供する復調器５０４を含みうる。プロセッサ５０６は、受信機５０２によって受信された情報の分析、および／または、送信機５０８による送信のための情報の生成に特化されたプロセッサ、モバイル・デバイス５００の１または複数の構成要素を制御するプロセッサ、および／または、受信機５０２によって受信された情報を分析し、送信機５０８による送信のための情報を生成し、モバイル・デバイス５００の１または複数の構成要素を制御するプロセッサでありうる。
【００５８】
モバイル・デバイス５００はさらにメモリ５１０を含みうる。このメモリ５１０は、プロセッサ５０６に動作可能に（例えば、電子通信可能に）接続され、送信されるべきデータ、受信されたデータ、セル／関連するｅＮＢに関連する情報、信号に関連付けられたデータ、および、その他任意の適切な情報を格納しうる。メモリ５１０はさらに、無線デバイス位置決めのためのさまざまな方法および例に関連付けられたプロトコルおよび／またはアルゴリズムを格納しうる。
【００５９】
本明細書に記載されたデータ・ストア（例えば、メモリ５１０）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく、例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ５１０は、限定される訳ではないが、これらおよびその他任意の適切なタイプのメモリを含むことが意図される。
【００６０】
受信機５０２は、一例において、複数のアグリゲートされたキャリアによる１または複数のｅＮＢとの通信（例えば、ＰＣＣ、１または複数のＳＣＣ等）を管理するためのマルチキャリア通信構成要素５１２と動作可能に接続されうる（または、含みうる）。マルチキャリア通信構成要素５１２は、例えば、マルチキャリア通信構成要素２１２に類似しうる。一例では、マルチキャリア通信構成要素５１２は、付加的にまたは代替的に、プロセッサ５０６に接続されうる。
【００６１】
プロセッサ５０６はさらに、オプションとして、サービス提供セル提供構成要素２１４に類似しうるサービス提供セル識別子提供構成要素５１４と、位置情報受信構成要素２１６に類似しうる位置情報受信構成要素５１６と、および／または、位置決め構成要素２１８に類似しうる位置決め構成要素５１８とに動作可能に接続されうる。モバイル・デバイス５００はさらに、送信機５０８による、例えば基地局、他のモバイル・デバイス等への送信のため信号を変調する変調器５２０を含む。例えば、記載されているように、送信機５０８は、１または複数の基地局を介して位置決めサーバにサービス提供セル識別子を送信しうる。さらに、モバイル・デバイス５００は、例えば、記載されているように、複数のネットワーク・インタフェースのための複数の送信機５０８を含みうる。プロセッサ５０６とは別に図示されているが、マルチキャリア通信構成要素５１２、サービス提供セル識別子提供構成要素５１４、位置情報受信構成要素５１６、位置決め構成要素５１８、復調器５０４、および／または、変調器５２０は、プロセッサ５０６または複数のプロセッサ（図示せず）の一部でありうるか、および／または、プロセッサ５０６による実行のためメモリ５１０内の命令群として格納されうることが認識されるべきである。
【００６２】
図６は、位置決めサーバ２０４、ＭＭＥ２５０等を含みうるコンピュータ・デバイス６００を例示する。コンピュータ・デバイス６００は、本明細書に記載された構成要素および機能のうちの１または複数に関連付けられた処理機能を実行するプロセッサ６０２を含む。プロセッサ６０２は、単一のプロセッサまたは複数のプロセッサのセットであるか、あるいは、マルチコア・プロセッサでありうる。さらに、プロセッサ６０２は、統合処理システム、および／または、分散処理システムとして実現されうる。
【００６３】
コンピュータ・デバイス６００はさらに、プロセッサ６０２によって実行されるローカル・バージョンのアプリケーションを格納するメモリ６０４を含む。メモリ６０４は、例えば、ランダム・アクセス・メモリ（ＲＡＭ）、読取専用メモリ（ＲＯＭ）、フラッシュ・メモリ、テープ、磁気ディスク、光ディスク、揮発性メモリ、不揮発性メモリ、およびこれらの組み合わせのように、コンピュータによって使用可能な実質的に任意のタイプのメモリを含みうる。コンピュータ・デバイス６００は、メモリ６０４に格納され、（例えば、メモリ６０４に格納された命令群に基づいて）プロセッサ６０２によって実行され、１または複数のプロセッサ６０２内に実行される等される１または複数の構成要素を含みうる。
【００６４】
さらに、コンピュータ・デバイス６００は、本明細書で記載されているように、ハードウェア、ソフトウェア／ファームウェア、およびサービスを利用する１または複数のパーティとの通信の確立および維持を提供する通信構成要素６０６を含む。通信構成要素６０６は、コンピュータ・デバイス６００上の構成要素間のみならず、例えば、通信ネットワークを介して位置しているデバイス、および／または、コンピュータ・デバイス６００に直列に、または、ローカルに接続されたデバイスのような外部デバイスとコンピュータ・デバイス６００との間で通信を伝送しうる。例えば、通信構成要素６０６は、１または複数のバスを含みうる。さらに、外部のデバイスとインタフェースするように動作可能な送信機および受信機に関連付けられた送信チェーン構成要素および受信チェーン構成要素を含みうる。
【００６５】
それに加えて、コンピュータ・デバイス６００はさらに、データ・ストア６０８を含む。データ・ストア６０８は、ハードウェアおよび／またはソフトウェア／ファームウェアの任意の適切な組み合わせであることができ、本明細書に記載された態様に関連して適用されるプログラム、データベース、および情報の大容量記憶を提供する。例えば、データ・ストア６０８は、プロセッサ６０２によって現在実行されていないアプリケーションのためのデータ・リポジトリでありうる。
【００６６】
コンピュータ・デバイス６００は、コンピュータ・デバイス６００のユーザからの入力を受け取るように動作可能で、さらに、ユーザに提示するための出力を生成するように動作可能なインタフェース構成要素６１０をオプションとして含みうる。インタフェース構成要素６１０は、限定される訳ではないが、キーボード、テンキー、マウス、タッチ画面、ナビゲーション・キー、ファンクション・キー、マイクロホン、音声認識構成要素、ユーザからの入力を受信可能なその他のメカニズム、あるいはこれらの任意の組み合わせを含む１または複数の入力デバイスを含むことができる。さらに、インタフェース構成要素６１０は、限定される訳ではないが、ディスプレイ、スピーカ、触覚型フィードバック・メカニズム、プリンタ、ユーザに出力を提示することが可能なその他任意のメカニズム、またはこれらの任意の組み合わせを含む１または複数の出力デバイスを含むことができる。別の例において、インタフェース構成要素６１０は、コンピュータ・デバイス６００上で機能を実行するために１または複数のデバイスによってアクセスされうるアプリケーション・プログラム・インターフェイス（ＡＰＩ）でありうる。
【００６７】
さらに、図示された例では、コンピュータ・デバイス６００は、オプションとして、サービス提供セル識別子受信構成要素２２０または２５２に類似しうるサービス提供セル識別子受信構成要素６１２、位置情報決定構成要素２２２に類似しうる位置情報決定構成要素６１４、位置情報通信構成要素２２４に類似しうる位置情報通信構成要素６１６、および／または、サービス提供セル識別子提供構成要素２５４に類似しうるサービス提供セル識別子提供構成要素６１８、のうちの１または複数を含みうる。したがって、これらの構成要素６１２，６１４，６１６および／または６１８は、記載されているように、関連付けられた命令群を実行するためにプロセッサ６０２と、通信を実行するために通信構成要素６０６と、および／または等とを利用しうる。さらに、コンピュータ・デバイス６００は、本明細書に記載された追加のまたは代替の構成要素を含みうることが認識されるべきである。
【００６８】
本明細書に記載されたさまざまな態様が、マルチキャリア構成の観点から記載されている。マルチキャリア構成のいくつかの例は、図７に例が例示されている連続キャリア・アグリゲーション（ＣＡ）および不連続ＣＡを含む、ＬＴＥアドバンスト・モバイル・システムのために提案されている。連続ＣＡは７００に図示されており、利用可能な複数の成分キャリア７０４，７０６，７０８が、周波数において互いに隣接するように割り当てられている。７０２において図示される不連続ＣＡでは、周波数において隣接しないように成分キャリア７１０，７１２，７１４を割り当てられうる。ＬＴＥアドバンストＵＥの１つのユニットにサービス提供するために、例えば、不連続ＣＡと連続ＣＡとの両方が、複数のＬＴＥ／成分キャリアをアグリゲートする。
【００６９】
これらキャリアは、周波数帯域に沿って分離されているので、ＬＴＥアドバンストＵＥは、複数のラジオ周波数（ＲＦ）受信ユニットと、複数の高速フーリエ変換（ＦＦＴ）とを、不連続ＣＡで展開しうる。連続ＣＡが使用される場合、１つのＲＦ受信構成要素およびＦＦＴは、すべてのキャリアで受信するために十分でありうる。不連続ＣＡは、分離された複数のキャリアによるデータ送信を、広い周波数範囲にわたってサポートするので、伝搬経路喪失、ドップラ・シフト、およびその他のラジオ・チャネル特性が、異なる周波数帯域において変動しうる。
【００７０】
したがって、不連続ＣＡアプローチにおけるブロードバンド・データ送信をサポートするために、異なる成分キャリアのための符号化、変調、および送信電力を適応的に調節する方法が使用されうる。例えば、ｅＮＢが、各成分キャリアにおいて固定された送信電力を有するＬＴＥアドバンスト・システムでは、各成分キャリアの有効な無線通信範囲またはサポート可能な変調および符号化は異なりうる。何れの場合であれ、記載されているように、キャリア７０４，７０６，７０８または７１０，７１２，７１４が、複数のｅＮＢまたは関連するセルによって割り当てられ、ＬＴＥアドバンストＵＥは、おのおののセル識別子を、位置決めサーバへレポートしうる。
【００７１】
図８は、インターナショナル・モバイル・テレコミュニケーション（ＩＭＴ）アドバンスト・システムまたは類似のシステムのため、媒体アクセス制御（ＭＡＣ）レイヤにおける異なる成分キャリア８０２，８０４，８０６からの送信ブロック（ＴＢ）をアグリゲートするデータ・アグリゲーション８００の例を例示する。各成分キャリア８０２，８０４，８０６は、ＭＡＣレイヤ・データ・アグリゲーションを用いて、ＭＡＣレイヤ内に自身の独立したハイブリッド自動反復要求（ＨＡＲＱ）エンティティ８０８，８１０，８１２と、物理レイヤ内に自身の送信コンフィギュレーション・パラメータ（例えば、送信電力、変調および符号化スキーム、およびマルチ・アンテナ構成）とを有する。同様に、物理レイヤでは、１つのＨＡＲＱエンティティが、例えば、物理レイヤ・エンティティ８１４，８１６，８１８によって、各成分キャリアについて提供されうる。
【００７２】
一般に、複数の成分キャリアのための制御チャネル・シグナリングを展開するために、３つの異なるアプローチが存在する。第１のアプローチは、ＬＴＥシステムにおける制御構造を若干修正することを含む。ここでは、各成分キャリアは、自身の符号化制御チャネルを与えられる。
【００７３】
第２の方法は、異なる成分キャリアの制御チャネルを統合的に符号化することと、これら制御チャネルを、専用の成分キャリア内に配置することと、を含む。複数の成分キャリアのための制御情報は、この専用の制御チャネルにおけるシグナリング・コンテンツとして統合されうる。この結果、ＣＡにおけるシグナリング・オーバヘッドが低減されながら、ＬＴＥシステムにおける制御チャネル構造との後方互換性が維持される。
【００７４】
異なる成分キャリアのための複数の制御チャネルが、統合的に符号化され、その後、第３のＣＡ方法によって生成された周波数帯域全体にわたって送信される。このアプローチは、ＵＥ側における高い電力消費を犠牲にして、制御チャネルにおける高い復号パフォーマンスおよび低いシグナリング・オーバヘッドを提供する。しかしながら、この方法は、いくつかのＬＴＥシステムと互換性を持たない場合がありうる。
【００７５】
さらに、例えば、ＣＡでは、少なくとも２つのキャリアからの制御機能が、１つのキャリアへアグリゲートされ、ＰＣＣおよび１または複数の関連付けられたＳＣＣが形成されうる。通信リンクは、１または複数のセルまたは関連するｅＮＢと、ＰＣＣおよび各ＳＣＣについて確立されうる。その後、通信は、一例では、マルチキャリア構成のＰＣＣに基づいて制御されうる。
【００７６】
図９は、ＬＴＥネットワーク・アーキテクチャ９００を例示する図解である。ＬＴＥネットワーク・アーキテクチャ９００は、イボルブド・パケット・システム（ＥＰＳ）９００と称されうる。ＥＰＳ９００は、１または複数のユーザ機器（ＵＥ）９０２、イボルブドＵＭＴＳ地上ラジオ・アクセス・ネットワーク（Ｅ−ＵＴＲＡＮ）９０４、イボルブド・パケット・コア（ＥＰＣ）９１０、ホーム加入者サーバ（ＨＳＳ）９２０、およびオペレータのＩＰサービス９２２を含みうる。ＥＰＳは、他のアクセス・ネットワークと相互接続しうるが、簡略のために、これらエンティティ／インタフェースは図示していない。図示されるように、ＥＰＳは、パケット交換サービスを提供する。しかしながら、当業者であれば容易に認識するであろうが、本開示にわたって示されているさまざまな概念は、回路交換サービスを提供しているネットワークに拡張されうる。
【００７７】
Ｅ−ＵＴＲＡＮは、イボルブド・ノードＢ（ｅＮＢ）９０６およびその他のｅＮＢ９０８を含んでいる。ｅＮＢ９０６は、ＵＥ９０２向けのユーザ・プレーン・プロトコル終端および制御プレーン・プロトコル終端を提供する。ｅＮＢ９０６は、Ｘ２インタフェース（例えば、バックホール）を経由して他のｅＮＢ９０８に接続されうる。ｅＮＢ９０６はまた、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語として称されうる。ｅＮＢ９０６は、ＵＥ９０２のために、ＥＰＣ９１０にアクセス・ポイントを提供する。ＵＥ９０２の例は、セルラ電話、スマート・フォン、セッション開始プロトコル（ＳＩＰ）電話、ラップトップ、ネットブック、ウルトラブック、スマートブック、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他類似の機能デバイスを含んでいる。ＵＥ９０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００７８】
ｅＮＢ９０６は、Ｓ１インタフェースによってＥＰＣ９１０に接続される。ＥＰＣ９１０は、モビリティ管理エンティティ（ＭＭＥ）９１２、その他のＭＭＥ９１４、サービス提供ゲートウェイ９１６、およびパケット・データ・ネットワーク（ＰＤＮ）ゲートウェイ９１８を含んでいる。ＭＭＥ９１２は、ＵＥ９０２とＥＰＣ９１０との間のシグナリングを処理する制御ノードである。一般に、ＭＭＥ９１２はベアラおよび接続管理を提供する。すべてのユーザＩＰパケットは、ＰＤＮゲートウェイ９１８に接続されているサービス提供ゲートウェイ９１６を介して転送される。ＰＤＮゲートウェイ９１８は、ＵＥ  ＩＰアドレス割当のみならず、その他の機能も提供する。ＰＤＮゲートウェイ９１８は、オペレータのＩＰサービス９２２に接続される。オペレータのＩＰサービス９２２は、インターネット、イントラネット、ＩＰ（インターネット・プロトコル）マルチメディア・サブシステム（ＩＭＳ）、およびパケット交換ストリーミング・サービス（ＰＳＳ）を含んでいる。
【００７９】
図１０は、ＬＴＥネットワーク・アーキテクチャにおけるアクセス・ネットワーク１０００の例を例示する図解である。この例では、アクセス・ネットワーク１０００は、多くのセルラ領域（セル）１００２に分割される。１または複数の低電力クラスのｅＮＢ１００８は、これらセル１００２のうちの１または複数とそれぞれオーバラップするセルラ領域１０１０を有しうる。低電力クラスｅＮＢ１００８は、遠隔ラジオ・ヘッド（ＲＲＨ）と称されうる。低電力クラスｅＮＢ１００８は、フェムト・セル（例えば、ホームｅＮＢ（ＨｅＮＢ）、ピコ・セル、またはミクロ・セル）でありうる。マクロｅＮＢ１００４はおのおの、各セル１００２に割り当てられ、セル１００２内のすべてのＵＥ１００６のためにＥＰＣ９１０へアクセス・ポイントを提供するように構成されている。アクセス・ネットワーク１０００のこの例では、中央コントローラは存在しないが、別の構成では、中央コントローラが使用されうる。ｅＮＢ１００４は、ラジオ・ベアラ制御、許可制御、モビリティ制御、スケジューリング、セキュリティ、および、サービス提供ゲートウェイ９１６への接続を含むすべてのラジオ関連機能を担当する。
【００８０】
アクセス・ネットワーク１０００によって適用される変調および多元接続スキームは、展開されている特定の通信規格に依存して変動しうる。ＬＴＥアプリケーションでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、およびＯＦＤＭＡを適用するイボルブドＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００８１】
ｅＮＢ１００４は、ＭＩＭＯ技術をサポートする複数のアンテナを有しうる。ＭＩＭＯ技術を使用することにより、ｅＮＢ１００４は、空間多重化、ビームフォーミング、および送信ダイバーシティをサポートするために空間領域を活用できるようになる。空間多重化は、同じ周波数で、異なるデータ・ストリームを同時に送信するために使用されうる。データ・ストリームは、データ・レートを高めるために単一のＵＥ１００６へ、全体的なシステム容量を高めるために複数のＵＥ１００６へ送信されうる。これは、各データ・ストリームを空間的にプリコードし（例えば、振幅およびフェーズのスケーリングを適用し）、空間的にプリコードされた各ストリームを、ＤＬで、複数の送信アンテナを介して送信することによって達成される。この空間的にプリコードされたデータ・ストリームは、異なる空間シグニチャを持つＵＥ（単数または複数）１００６に到着する。これによって、ＵＥ（単数または複数）１００６のおのおのは、ＵＥ１００６のために指定された１または複数のデータ・ストリームを復元できるようになる。ＵＬでは、おのおののＵＥ１００６が、空間的にプリコードされたデータ・ストリームを送信する。これによって、ｅＮＢ１００４は、空間的にプリコードされた各データ・ストリームのソースを識別できるようになる。
【００８２】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部において良好な有効通信範囲を達成するために、単一ストリーム・ビームフォーミング送信が、送信ダイバーシティと組み合わされて使用されうる。
【００８３】
明確化のために、アクセス・ネットワークのさまざまな態様が、ＤＬでＯＦＤＭをサポートするＭＩＭＯシステムに関して記載される。ＯＦＤＭは、ＯＦＤＭシンボル内の多くのサブキャリアにおいてデータを変調するスペクトル拡散技術である。サブキャリアは、正確な周波数で隔離されている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。ＵＬは、高いピーク対平均電力比（ＰＡＲＲ）を補償するために、ＤＦＴ拡散ＯＦＤＭ信号の形態でＳＣ−ＦＤＭＡを使用しうる。
【００８４】
図１１は、ＬＴＥにおけるＤＬフレーム構造の例を例示する図解１１００である。フレーム（１０ミリ秒）が、等しいサイズの１０のサブフレームに分割されうる。おのおののサブ・フレームは、２つの連続する時間スロットを含みうる。おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。拡張されたサイクリック・プレフィクスのために、リソース・ブロックは、時間領域において６つの連続したＯＦＤＭシンボルを含み、７２のリソース要素を有する。Ｒ１１０２，１１０４として示されるような、リソース要素のいくつかは、ＤＬ基準信号（ＤＬ−ＲＳ）を含んでいる。ＤＬ−ＲＳは、セル特有ＲＳ（ＣＲＳ）（しばしば共通ＲＳとも称される）１１０２およびＵＥ特有ＲＳ（ＵＥ−ＲＳ）（復調基準信号（ＤＭ−ＲＳ）としても知られている）１１０４を含んでいる。ＵＥ−ＲＳ１１０４は、対応する物理ＤＬ共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００８５】
図１２は、ＬＴＥにおけるＵＬフレーム構造の例を例示する図解１２００である。ＵＬのために利用可能なリソース・ブロックは、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。このＵＬフレーム構造の結果、データ・セクションは、連続するサブキャリアを含むようになる。これによって、データ・セクションにおいて連続するサブキャリアのすべてが単一のＵＥに割り当てられるようになる。
【００８６】
ＵＥは、ｅＮＢへ制御情報を送信するために、制御セクションにおいてリソース・ブロック１２１０ａ，１２１０ｂを割り当てられうる。ＵＥはまた、ｅＮＢへデータを送信するために、データ・セクションにおいてリソース・ブロック１２２０ａ，１２２０ｂを割り当てられうる。ＵＥは、制御セクションにおいて割り当てられたリソース・ブロックで、物理ＵＬ制御チャネル（ＰＵＣＣＨ）で制御情報を送信しうる。ＵＥは、データ・セクションにおいて割り当てられたリソース・ブロックで、物理ＵＬ共有チャネル（ＰＵＳＣＨ）で、データのみ、または、データと制御情報との両方を送信しうる。ＵＬ送信は、サブフレームの両スロットにおよび、周波数を越えてホップしうる。
【００８７】
物理ランダム・アクセス・チャネル（ＰＲＡＣＨ）１２３０における初期システム・アクセスの実行と、ＵＬ同期の達成とのために、リソース・ブロックのセットが使用されうる。ＰＲＡＣＨ１２３０は、ランダム・シーケンスを伝送するが、ＵＬデータ／シグナリングを伝送することはできない。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送されるか、少数の連続したサブフレームのシーケンスで伝送されうる。そして、ＵＥは、フレーム（１０ミリ秒）毎に１回のＰＲＡＣＨ試行しか行わないことがある。
【００８８】
図１３は、ＬＴＥにおけるユーザ・プレーンおよび制御プレーンのためのラジオ・プロトコル・アーキテクチャの例を例示する図解１３００である。ＵＥおよびｅＮＢのためのラジオ・プロトコル・アーキテクチャが、３つのレイヤ、すなわち、レイヤ１、レイヤ２、およびレイヤ３を用いて図示される。レイヤ１（Ｌ１レイヤ）は、最下位レイヤであり、さまざまな物理レイヤ信号処理機能を実施する。Ｌ１レイヤは、本明細書では物理レイヤ１３０６と称されるだろう。レイヤ２（Ｌ２レイヤ）１３０８は、物理レイヤ１３０６上にあり、物理レイヤ１３０６を介したＵＥとｅＮＢとの間のリンクを担当する。
【００８９】
ユーザ・プレーンでは、Ｌ２レイヤ１３０８は、媒体アクセス制御（ＭＡＣ）サブレイヤ１３１０と、ラジオ・リンク制御（ＲＬＣ）サブレイヤ１３１２と、パケット・データ収束プロトコル（ＰＤＣＰ）サブレイヤ１３１４とを含む。これらは、ネットワーク側におけるｅＮＢにおいて終了する。図示されていないが、ＵＥは、ネットワーク側におけるＰＤＮゲートウェイで終了するネットワーク・レイヤ（例えば、ＩＰレイヤ）を含む、Ｌ２レイヤ１３０８上のいくつかの上部レイヤと、（例えば、遠くのエンドＵＥ、サーバ等のような）接続の他端において終了するアプリケーション・レイヤとを有しうる。
【００９０】
ＰＤＣＰサブレイヤ１３１４は、異なるラジオ・ベアラと論理チャネルとの間の多重化を提供する。ＰＤＣＰサブレイヤ１３１４はまた、ラジオ送信オーバヘッドを低減するための上部レイヤ・データ・パケットのためのヘッダ圧縮、データ・パケットを暗号化することによるセキュリティ、および、ｅＮＢ間のＵＥのためのハンドオーバ・サポートを提供する。ＲＬＣサブレイヤ１３１２は、上部レイヤ・データ・パケットのセグメント化および再アセンブル、喪失したデータ・パケットの再送信、および、ハイブリッド自動反復要求（ＨＡＲＱ）による順不同な受信を補償するためのデータ・パケットの並べ替えを提供する。ＭＡＣサブレイヤ１３１０は、論理チャネルと伝送チャネルとの間の多重化を提供する。ＭＡＣサブレイヤ１３１０はまた、１つのセル内のさまざまなラジオ・リソース（例えば、リソース・ブロック）を、ＵＥ間に割り当てることをも担当する。ＭＡＣサブレイヤ１３１０はまた、ＨＡＲＱ動作をも担当する。
【００９１】
制御プレーンでは、ＵＥおよびｅＮＢのためのラジオ・プロトコル・アーキテクチャは、制御プレーンのためのヘッダ圧縮機能が無いことを除いて、物理レイヤ１３０６およびＬ２レイヤ１３０８について実質的に同じである。制御プレーンはまた、レイヤ３（Ｌ３レイヤ）にラジオ・リソース制御（ＲＲＣ）サブレイヤ１３１６を含んでいる。ＲＲＣサブレイヤ１３１６は、ラジオ・リソース（例えば、ラジオ・ベアラ）を取得することと、ＲＲＣシグナリングを用いてｅＮＢとＵＥとの間に下部レイヤを設定することと、を担当する。
【００９２】
図１４は、アクセス・ネットワークにおいてＵＥ１４５０と通信しているｅＮＢ１４１０のブロック図である。ＤＬでは、コア・ネットワークからの上部レイヤ・パケットが、コントローラ／プロセッサ１４７５へ提供される。コントローラ／プロセッサ１４７５は、Ｌ２レイヤの機能を実現する。ＤＬでは、コントローラ／プロセッサ１４７５は、さまざまな優先度判定基準に基づいて、ヘッダ圧縮、暗号化、パケット・セグメント化および並べ替え、論理チャネルと伝送チャネルとの間の多重化、および、ＵＥ１４５０へのラジオ・リソース割当を提供する。さらに、コントローラ／プロセッサ１４７５はまた、ＨＡＲＱ動作、喪失パケットの再送信、およびＵＥ１４５０へのシグナリングを担当する。
【００９３】
送信（ＴＸ）プロセッサ１４１６は、Ｌ１レイヤ（例えば、物理レイヤ）のためのさまざまな信号処理機能を実現する。この信号処理機能は、ＵＥ１４５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器１４７４からのチャンネル推定値が、空間処理のみならず、符号化および変調スキームを決定するためにも使用されうる。チャネル推定値は、ＵＥ１４５０によって送信されたチャネル状態フィードバックおよび／または基準信号から導出されうる。おのおのの空間ストリームはその後、個別の送信機１４１８ＴＸを介して別々のアンテナ１４２０へ提供される。おのおのの送信機１４１８ＴＸは、送信のために、それぞれの空間ストリームを用いてＲＦキャリアを変調する。
【００９４】
ＵＥ１４５０では、おのおのの受信機１４５４ＲＸが、それぞれのアンテナ１４５２を介して信号を受信する。おのおのの受信機１４５４ＲＸは、ＲＦキャリアへ変調された情報を復元し、この情報を、受信（ＲＸ）プロセッサ１４５６へ提供する。ＲＸプロセッサ１４５６は、Ｌ１レイヤのさまざまな信号処理機能を実施する。ＲＸプロセッサ１４５６は、この情報に対して空間処理を実行し、ＵＥ１４５０に向けられた空間ストリームを復元する。複数の空間ストリームが、ＵＥ１４５０に向けられている場合、これらは、ＲＸデータ・プロセッサ１４５６によって、単一のＯＦＤＭシンボル・ストリームへ結合されうる。ＲＸプロセッサ１４５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅＮＢ１４１０によって送信された最も可能性の高いコンステレーション・ポイントを判定することによって復元および復調される。これら軟判定は、チャネル推定器１４５８によって計算されたチャネル推定値に基づきうる。これら軟判定はその後、復号およびデインタリーブされ、物理チャネル上でｅＮＢ１４１０によって送信されたオリジナルのデータおよび制御信号が復元される。データおよび制御信号はその後、コントローラ／プロセッサ１４５９へ提供される。
【００９５】
コントローラ／プロセッサ１４５９は、Ｌ２レイヤを実現する。コントローラ／プロセッサ１４５９は、プログラム・コードおよびデータを格納するメモリ１４６０に関連付けられうる。メモリ１４６０は、コンピュータ読取可能な媒体と称されうる。ＵＬでは、制御／プロセッサ１４５９は、コア・ネットワークからの上部レイヤ・パケットを復元するために、伝送チャネルと論理チャネルとの間の逆多重化、パケット再アセンブリ、解読、ヘッダ伸張、制御信号処理を提供する。Ｌ２レイヤ上のすべてのプロトコル・レイヤを表す上部レイヤ・パケットは、その後、データ・シンク１４６２へ提供される。Ｌ３処理のためにも、データ・シンク１４６２へさまざまな制御信号が提供されうる。コントローラ／プロセッサ１４５９はまた、ＨＡＲＱ動作をサポートするためにアクノレッジメント（ＡＣＫ）および／または否定的アクノレッジメント（ＮＡＣＫ）プロトコルを用いて、誤り検出を担当する。
【００９６】
ＵＬでは、コントローラ／プロセッサ１４５９へ上部レイヤ・パケットを提供するために、データ・ソース１４６７が使用される。データ・ソース１４６７は、Ｌ２レイヤ上のすべてのプロトコル・レイヤを表す。ｅノードＢ１４１０によるＤＬ送信に関して記載された機能と同様に、コントローラ／プロセッサ１４５９は、ヘッダ圧縮、暗号化、パケット・セグメント化および並べ替え、および、ｅＮＢ１４１０によるラジオ・リソース割当に基づく論理チャネルと伝送チャネルとの間の多重化を提供することによって、ユーザ・プレーンおよび制御プレーンのためのＬ２レイヤを実現する。さらに、コントローラ／プロセッサ１４５９はまた、ＨＡＲＱ動作、喪失パケットの再送信、およびｅＮＢ１４１０へのシグナリングを担当する。
【００９７】
ｅＮＢ１４１０によって送信されたフィードバックまたは基準信号から、チャネル推定器１４５８によって導出されたチャネル推定値が、適切な符号化スキームおよび変調スキームを選択するために、および、空間処理を容易にするために、ＴＸプロセッサ１４６８によって使用されうる。ＴＸデータ・プロセッサ１４６８によって生成された空間ストリームは、個別の送信機１４５４ＴＸを介して異なるアンテナ１４５２に提供される。おのおのの送信機１４５４ＴＸは、送信のために、それぞれの空間ストリームを用いてＲＦキャリアを変調する。
【００９８】
ＵＬ送信は、ＵＥ１４５０における受信機機能に関して記載されたものと類似した方式で、ｅＮＢ１４１０において処理される。おのおのの受信機１４１８ＲＸは、それぞれのアンテナ１４２０を介して信号を受信する。おのおのの受信機１４１８ＲＸは、ＲＦキャリアへ変調された情報を復元し、この情報を、ＲＸプロセッサ１４７０へ提供する。ＲＸプロセッサ１４７０は、Ｌ１レイヤを実現しうる。
【００９９】
コントローラ／プロセッサ１４７５は、Ｌ２レイヤを実現する。コントローラ／プロセッサ１４７５は、プログラム・コードおよびデータを格納するメモリ１４７６に関連付けられうる。メモリ１４７６は、コンピュータ読取可能な媒体と称されうる。ＵＬでは、制御／プロセッサ１４７５は、ＵＥ１４５０からの上部レイヤ・パケットを復元するために、伝送チャネルと論理チャネルとの間の逆多重化、パケット再アセンブリ、解読、ヘッダ伸張、制御信号処理を提供する。コントローラ／プロセッサ１４７５からの上部レイヤ・パケットは、コア・ネットワークへ提供されうる。コントローラ／プロセッサ１４７５はまた、ＨＡＲＱ動作をサポートするためにＡＣＫおよび／またはＮＡＣＫプロトコルを用いて、誤り検出を担当する。
【０１００】
本明細書で開示された実施形態に関連して記載されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能でありうるが、代わりに、従来技術によるプロセッサ、コントローラ、マイクロ・コントローラ、あるいはステート・マシンを用いることも可能でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、前述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの態様では、プロセッサと記憶媒体とが、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。
【０１０１】
１または複数の態様では、説明された機能、方法、またはアルゴリズムが、ハードウェア、ソフトウェア／ファームウェア、またはこれらの任意の組み合わせで実現されうる。ソフトウェア／ファームウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェア／ファームウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。前述した組み合わせもまた、コンピュータ読取可能な媒体の範囲内に含まれるべきである。
【０１０２】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、記載された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、出願当初の特許請求の範囲に記載された発明を付記する。
［Ｃ１］
ユーザ機器（ＵＥ）の位置決めを実行するための方法であって、
マルチキャリア構成において複数のサービス提供セルと通信することと、
前記複数のサービス提供セルに対応する複数のサービス提供セル識別子を、メッセージで、位置決めサーバへ示すことと、を備える方法。
［Ｃ２］
前記複数のサービス提供セル識別子のための位置情報を受信することと、
前記位置情報に少なくとも部分的に基づいて、ＵＥの位置決めを実行することと、をさらに備えるＣ１に記載の方法。
［Ｃ３］
前記位置情報はさらに、前記複数のサービス提供セルの近隣セル、または、前記複数のサービス提供セルに少なくとも部分的に基づいて選択されたその他のセルに対応する、Ｃ２に記載の方法。
［Ｃ４］
前記その他のセルは、前記複数のサービス提供セルの少なくとも１つのしきい距離内にあり、前記複数のサービス提供セルの少なくとも１つと同様の動作周波数を使用するか、または、前記複数のサービス提供セルの少なくとも１つの無線視界内にある、Ｃ３に記載の方法。
［Ｃ５］
前記複数のサービス提供セル識別子は、グローバル・セル識別子、前記複数のサービス提供セルの動作周波数、またはキャリア識別子に相当する、Ｃ１に記載の方法。
［Ｃ６］
前記メッセージは、ＬＴＥ位置決めプロトコル（ＬＰＰ）メッセージである、Ｃ１に記載の方法。
［Ｃ７］
前記メッセージは、セキュア・ユーザ・プレーン・ロケーション（ＳＵＰＬ）メッセージである、Ｃ１に記載の方法。
［Ｃ８］
前記示すことは、前記複数のサービス提供セル識別子をロケーションＩＤとして前記ＳＵＰＬメッセージに含めることを備える、Ｃ７に記載の方法。
［Ｃ９］
前記示すことは、前記複数のサービス提供セル識別子を、前記ＳＵＰＬメッセージ内のマルチ・ロケーションＩＤのリストに含めることを備える、Ｃ７に記載の方法。
［Ｃ１０］
前記示すことは、前記マルチ・ロケーションＩＤのリストにおける前記複数のサービス提供セル識別子のおのおのについて、サービス提供セル・フラグを、真に設定することを備える、Ｃ９に記載の方法。
［Ｃ１１］
前記示すことは、前記マルチ・ロケーションＩＤのリストにおける前記複数のサービス提供セル識別子のおのおのが同じタイムスタンプを有することを示すことを備える、Ｃ９に記載の方法。
［Ｃ１２］
ユーザ機器（ＵＥ）の位置決めを実行するための装置であって、
マルチキャリア構成において複数のサービス提供セルと通信する手段と、
前記複数のサービス提供セルに対応する複数のサービス提供セル識別子を、メッセージで、位置決めサーバへ示す手段と、を備える装置。
［Ｃ１３］
前記複数のサービス提供セル識別子のための位置情報を受信する手段と、
前記位置情報に少なくとも部分的に基づいて、ＵＥの位置決めを実行する手段と、をさらに備えるＣ１２に記載の装置。
［Ｃ１４］
前記位置情報はさらに、前記複数のサービス提供セルの近隣セル、または、前記複数のサービス提供セルに少なくとも部分的に基づいて選択されたその他のセルに対応する、Ｃ１３に記載の装置。
［Ｃ１５］
前記その他のセルは、前記複数のサービス提供セルの少なくとも１つのしきい距離内にあり、前記複数のサービス提供セルの少なくとも１つと同様の動作周波数を使用するか、または、前記複数のサービス提供セルの少なくとも１つの無線視界内にある、Ｃ１４に記載の装置。
［Ｃ１６］
前記複数のサービス提供セル識別子は、グローバル・セル識別子、前記複数のサービス提供セルの動作周波数、またはキャリア識別子に相当する、Ｃ１２に記載の装置。
［Ｃ１７］
前記メッセージは、ＬＴＥ位置決めプロトコル（ＬＰＰ）メッセージである、Ｃ１２に記載の装置。
［Ｃ１８］
前記メッセージは、セキュア・ユーザ・プレーン・ロケーション（ＳＵＰＬ）メッセージである、Ｃ１２に記載の装置。
［Ｃ１９］
前記示す手段は、前記複数のサービス提供セル識別子をロケーションＩＤとして前記ＳＵＰＬメッセージに含める、Ｃ１８に記載の装置。
［Ｃ２０］
前記示す手段は、前記複数のサービス提供セル識別子を、前記ＳＵＰＬメッセージ内のマルチ・ロケーションＩＤのリストに含める、Ｃ１８に記載の装置。
［Ｃ２１］
前記示す手段は、前記マルチ・ロケーションＩＤのリストにおける前記複数のサービス提供セル識別子のおのおのについて、サービス提供セル・フラグを、真に設定する、Ｃ２０に記載の装置。
［Ｃ２２］
前記示す手段は、前記マルチ・ロケーションＩＤのリストにおける前記複数のサービス提供セル識別子のおのおのが同じタイムスタンプを有することを示す、Ｃ２０に記載の装置。
［Ｃ２３］
ユーザ機器（ＵＥ）の位置決めを実行するためのコンピュータ・プログラム製品であって、
少なくとも１つのコンピュータに対して、マルチキャリア構成において複数のサービス提供ｅＮＢと通信させるためのコードと、
前記少なくとも１つのコンピュータに対して、複数のサービス提供セルに対応する複数のサービス提供セル識別子を、メッセージで、位置決めサーバへ示させるためのコードと、を備える非一時的なコンピュータ読取可能な媒体を備える、コンピュータ・プログラム製品。
［Ｃ２４］
前記非一時的なコンピュータ読取可能な媒体はさらに、
前記少なくとも１つのコンピュータに対して、前記複数のサービス提供セル識別子のための位置情報を、前記位置決めサーバから受信させるためのコードと、
前記少なくとも１つのコンピュータに対して、前記位置情報に少なくとも部分的に基づいて、ＵＥの位置決めを実行させるためのコードとを備える、Ｃ２３に記載のコンピュータ・プログラム製品。
［Ｃ２５］
前記位置情報はさらに、前記複数のサービス提供セルの近隣セル、または、前記複数のサービス提供セルに少なくとも部分的に基づいて選択されたその他のセルに対応する、Ｃ２４に記載のコンピュータ・プログラム製品。
［Ｃ２６］
前記その他のセルは、前記複数のサービス提供セルの少なくとも１つのしきい距離内にあり、前記複数のサービス提供セルの少なくとも１つと同様の動作周波数を使用するか、または、前記複数のサービス提供セルの少なくとも１つの無線視界内にある、Ｃ２５に記載のコンピュータ・プログラム製品。
［Ｃ２７］
前記複数のサービス提供セル識別子は、グローバル・セル識別子、前記複数のサービス提供セルの動作周波数、またはキャリア識別子に相当する、Ｃ２３に記載のコンピュータ・プログラム製品。
［Ｃ２８］
前記メッセージは、ＬＴＥ位置決めプロトコル（ＬＰＰ）メッセージである、Ｃ２３に記載のコンピュータ・プログラム製品。
［Ｃ２９］
前記メッセージは、セキュア・ユーザ・プレーン・ロケーション（ＳＵＰＬ）メッセージである、Ｃ２３に記載のコンピュータ・プログラム製品。
［Ｃ３０］
前記少なくとも１つのコンピュータに対して示させるためのコードは、前記複数のサービス提供セル識別子をロケーションＩＤとして前記ＳＵＰＬメッセージに含める、Ｃ２９に記載のコンピュータ・プログラム製品。
［Ｃ３１］
前記少なくとも１つのコンピュータに対して示させるためのコードは、前記複数のサービス提供セル識別子を、前記ＳＵＰＬメッセージ内のマルチ・ロケーションＩＤのリストに含める、Ｃ２９に記載のコンピュータ・プログラム製品。
［Ｃ３２］
前記少なくとも１つのコンピュータに対して示させるためのコードは、前記マルチ・ロケーションＩＤのリストにおける前記複数のサービス提供セル識別子のおのおのについて、サービス提供セル・フラグを、真に設定する、Ｃ３１に記載のコンピュータ・プログラム製品。
［Ｃ３３］
前記少なくとも１つのコンピュータに対して示させるためのコードは、前記マルチ・ロケーションＩＤのリストにおける前記複数のサービス提供セル識別子のおのおのが同じタイムスタンプを有することを示す、Ｃ３１に記載のコンピュータ・プログラム製品。
［Ｃ３４］
ユーザ機器（ＵＥ）の位置決めを実行するための装置であって、
プロセッサと、
前記プロセッサと電子通信するメモリと、
前記メモリに格納された命令群とを備え、
前記命令群は、
マルチキャリア構成において複数のサービス提供セルと通信し、
前記複数のサービス提供セルに対応する複数のサービス提供セル識別子を、メッセージで、位置決めサーバへ示すために前記プロセッサによって実行可能である、装置。
［Ｃ３５］
前記命令群はさらに、
前記複数のサービス提供セル識別子のための位置情報を受信し、
前記位置情報に少なくとも部分的に基づいて、ＵＥの位置決めを実行するために前記プロセッサによって実行可能である、Ｃ３４に記載の装置。
［Ｃ３６］
前記位置情報はさらに、前記複数のサービス提供セルの近隣セル、または、前記複数のサービス提供セルに少なくとも部分的に基づいて選択されたその他のセルに対応する、Ｃ３４に記載の装置。
［Ｃ３７］
前記その他のセルは、前記複数のサービス提供セルの少なくとも１つのしきい距離内にあり、前記複数のサービス提供セルの少なくとも１つと同様の動作周波数を使用するか、または、前記複数のサービス提供セルの少なくとも１つの無線視界内にある、Ｃ３６に記載の装置。
［Ｃ３８］
前記複数のサービス提供セル識別子は、グローバル・セル識別子、前記複数のサービス提供セルの動作周波数、またはキャリア識別子に相当する、Ｃ３４に記載の装置。
［Ｃ３９］
前記メッセージは、ＬＴＥ位置決めプロトコル（ＬＰＰ）メッセージである、Ｃ３４に記載の装置。
［Ｃ４０］
前記メッセージは、セキュア・ユーザ・プレーン・ロケーション（ＳＵＰＬ）メッセージである、Ｃ３４に記載の装置。
［Ｃ４１］
前記複数のサービス提供セル識別子を示すために前記プロセッサによって実行可能な前記命令群は、前記複数のサービス提供セル識別子を、前記ＳＵＰＬメッセージにおけるロケーションＩＤとして示す、Ｃ４０に記載の装置。
［Ｃ４２］
前記複数のサービス提供セル識別子を示すために前記プロセッサによって実行可能な命令群は、前記ＳＵＰＬメッセージにおけるマルチ・ロケーションＩＤのリストにおける前記複数のサービス提供セル識別子を示す、Ｃ４０に記載の装置。
［Ｃ４３］
前記複数のサービス提供セル識別子を示すために前記プロセッサによって実行可能な命令群は、前記マルチ・ロケーションＩＤのリストにおける前記複数のサービス提供セル識別子のおのおのについて、サービス提供セル・フラグを、真に設定する、Ｃ４２に記載の装置。
［Ｃ４４］
前記複数のサービス提供セル識別子を示すために前記プロセッサによって実行可能な命令群は、前記マルチ・ロケーションＩＤのリストにおける前記複数のサービス提供セル識別子のおのおのが同じタイムスタンプを有することを示す、Ｃ４２に記載の装置。
［Ｃ４５］
ユーザ機器（ＵＥ）の位置決めを実行するための装置であって、
マルチキャリア構成において複数のサービス提供セルと通信するためのマルチキャリア通信構成要素と、
前記複数のサービス提供セルに対応する複数のサービス提供セル識別子を、メッセージで、位置決めサーバへ示すためのサービス提供セル識別子提供構成要素と、を備える装置。
［Ｃ４６］
前記複数のサービス提供セル識別子のための位置情報を受信するための位置情報受信構成要素と、
前記位置情報に少なくとも部分的に基づいて、ＵＥの位置決めを実行するための位置決め構成要素と、をさらに備えるＣ４５に記載の装置。
［Ｃ４７］
前記位置情報はさらに、前記複数のサービス提供セルの近隣セル、または、前記複数のサービス提供セルに少なくとも部分的に基づいて選択されたその他のセルに対応する、Ｃ４６に記載の装置。
［Ｃ４８］
前記その他のセルは、前記複数のサービス提供セルの少なくとも１つのしきい距離内にあり、前記複数のサービス提供セルの少なくとも１つと同様の動作周波数を使用するか、または前記複数のサービス提供セルの少なくとも１つの無線視界内にある、Ｃ４７に記載の装置。
［Ｃ４９］
前記複数のサービス提供セル識別子は、グローバル・セル識別子、前記複数のサービス提供セルの動作周波数、またはキャリア識別子に相当する、Ｃ４５に記載の装置。
［Ｃ５０］
前記メッセージは、ＬＴＥ位置決めプロトコル（ＬＰＰ）メッセージである、Ｃ４５に記載の装置。
［Ｃ５１］
前記メッセージは、セキュア・ユーザ・プレーン・ロケーション（ＳＵＰＬ）メッセージである、Ｃ４５に記載の装置。
［Ｃ５２］
前記サービス提供セル識別子提供構成要素は、前記複数のサービス提供セル識別子をロケーションＩＤとして前記ＳＵＰＬメッセージに含める、Ｃ５１に記載の装置。
［Ｃ５３］
前記サービス提供セル識別子提供構成要素は、前記複数のサービス提供セル識別子を、前記ＳＵＰＬメッセージ内のマルチ・ロケーションＩＤのリストに含める、Ｃ５１に記載の装置。
［Ｃ５４］
前記サービス提供セル識別子提供構成要素は、前記マルチ・ロケーションＩＤのリストにおける前記複数のサービス提供セル識別子のおのおのについて、サービス提供セル・フラグを、真に設定する、Ｃ５３に記載の装置。
［Ｃ５５］
前記サービス提供セル識別子提供構成要素は、前記マルチ・ロケーションＩＤのリストにおける前記複数のサービス提供セル識別子のおのおのが同じタイムスタンプを有することを示す、Ｃ５３に記載の装置。
［Ｃ５６］
ユーザ機器（ＵＥ）に位置情報を提供する方法であって、
ＵＥに関連する複数のサービス提供セル識別子を備えるメッセージを受信することと、
前記複数のサービス提供セル識別子に関連する複数のセルの少なくとも一部に対応する位置情報を取得することと、
前記位置情報を前記ＵＥへ通信することと、を備える方法。
［Ｃ５７］
前記複数のセルの少なくとも１つと同様の動作周波数を利用して１または複数のその他のセルに対応するイントラ周波数位置情報を取得することと、
前記イントラ周波数位置情報を、前記１または複数のその他のセルに対応する１または複数の識別子とともに前記ＵＥへ通信することと、をさらに備えるＣ５６に記載の方法。
［Ｃ５８］
前記メッセージは、ＬＴＥ位置決めプロトコル（ＬＰＰ）メッセージまたはセキュア・ユーザ・プレーン・ロケーション（ＳＵＰＬ）メッセージである、Ｃ５６に記載の方法。
［Ｃ５９］
ユーザ機器（ＵＥ）に位置情報を提供するための装置であって、
ＵＥに関連する複数のサービス提供セル識別子を備えるメッセージを受信する手段と、
前記複数のサービス提供セル識別子に関連する複数のセルの少なくとも一部に対応する位置情報を取得する手段と、
前記位置情報を前記ＵＥへ通信する手段と、を備える装置。
［Ｃ６０］
前記取得する手段はさらに、前記複数のセルの少なくとも１つと同様の動作周波数を利用して１または複数のその他のセルに対応するイントラ周波数位置情報を取得し、
前記通信する手段はさらに、前記イントラ周波数位置情報を、前記１または複数のその他のセルに対応する１または複数の識別子とともに前記ＵＥへ通信する、Ｃ５９に記載の装置。
［Ｃ６１］
前記メッセージは、ＬＴＥ位置決めプロトコル（ＬＰＰ）メッセージまたはセキュア・ユーザ・プレーン・ロケーション（ＳＵＰＬ）メッセージである、Ｃ５９に記載の装置。
［Ｃ６２］
ユーザ機器（ＵＥ）に位置情報を提供するためのコンピュータ・プログラム製品であって、
少なくとも１つのコンピュータに対して、ＵＥに関連する複数のサービス提供セル識別子を備えるメッセージを受信させるためのコードと、
前記少なくとも１つのコンピュータに対して、前記複数のサービス提供セル識別子に関連する複数のセルの少なくとも一部に対応する位置情報を取得させるためのコードと、
前記少なくとも１つのコンピュータに対して、前記位置情報を前記ＵＥへ通信させるためのコードとを備える非一時的なコンピュータ読取可能な媒体を備える、コンピュータ・プログラム製品。
［Ｃ６３］
前記少なくとも１つのコンピュータに対して取得させるためのコードはさらに、前記複数のセルの少なくとも１つと同様の動作周波数を利用して１または複数のその他のセルに対応するイントラ周波数位置情報を取得し、
前記少なくとも１つのコンピュータに対して通信させるためのコードはさらに、前記イントラ周波数位置情報を、前記１または複数のその他のセルに対応する１または複数の識別子とともに前記ＵＥへ通信する、Ｃ６２に記載のコンピュータ・プログラム製品。
［Ｃ６４］
前記メッセージは、ＬＴＥ位置決めプロトコル（ＬＰＰ）メッセージまたはセキュア・ユーザ・プレーン・ロケーション（ＳＵＰＬ）メッセージである、Ｃ６２に記載のコンピュータ・プログラム製品。
［Ｃ６５］
ユーザ機器（ＵＥ）に位置情報を提供するための装置であって、
プロセッサと、
前記プロセッサと電子通信するメモリと、
前記メモリに格納された命令群とを備え、
前記命令群は、
ＵＥに関連する複数のサービス提供セル識別子を備えるメッセージを受信し、
前記複数のサービス提供セル識別子に関連する複数のセルの少なくとも一部に対応する位置情報を取得し、
前記位置情報を前記ＵＥへ通信するために前記プロセッサによって実行可能である、装置。
［Ｃ６６］
前記命令群はさらに、
前記複数のセルの少なくとも１つと同様の動作周波数を利用して１または複数のその他のセルに対応するイントラ周波数位置情報を取得し、
前記イントラ周波数位置情報を、前記１または複数のその他のセルに対応する１または複数の識別子とともに前記ＵＥへ通信するために前記プロセッサによって実行可能である、Ｃ６５に記載の装置。
［Ｃ６７］
前記メッセージは、ＬＴＥ位置決めプロトコル（ＬＰＰ）メッセージまたはセキュア・ユーザ・プレーン・ロケーション（ＳＵＰＬ）メッセージである、Ｃ６５に記載の装置。
［Ｃ６８］
ユーザ機器（ＵＥ）に位置情報を提供するための装置であって、
ＵＥに関連する複数のサービス提供セル識別子を備えるメッセージを受信するためのサービス提供セル識別子受信構成要素と、
前記複数のサービス提供セル識別子に関連する複数のセルの少なくとも一部に対応する位置情報を取得するための位置情報決定構成要素と、
前記位置情報を前記ＵＥへ通信するための位置情報通信構成要素と、を備える装置。
［Ｃ６９］
前記位置情報決定構成要素はさらに、前記複数のセルの少なくとも１つと同様の動作周波数を利用して１または複数のその他のセルに対応するイントラ周波数位置情報を取得し、
前記位置情報通信構成要素はさらに、前記イントラ周波数位置情報を、前記１または複数のその他のセルに対応する１または複数の識別子とともに前記ＵＥへ通信する、Ｃ６８に記載の装置。
［Ｃ７０］
前記メッセージは、ＬＴＥ位置決めプロトコル（ＬＰＰ）メッセージまたはセキュア・ユーザ・プレーン・ロケーション（ＳＵＰＬ）メッセージである、Ｃ６８に記載の装置。
【図１】
0005869111.tif 000002
【図２】
0005869111.tif 000003
【図３】
0005869111.tif 000004
【図４】
0005869111.tif 000005
【図５】
0005869111.tif 000006
【図６】
0005869111.tif 000007
【図７】
0005869111.tif 000008
【図８】
0005869111.tif 000009
【図９】
0005869111.tif 000010
【図１０】
0005869111.tif 000011
【図１１】
0005869111.tif 000012
【図１２】
0005869111.tif 000013
【図１３】
0005869111.tif 000014
【図１４】
0005869111.tif 000015